(57)【要約】【課題】温度変化による光学特性の劣化を抑え得るようにする。【解決手段】光ディスク装置１０の光ピックアップ１７に搭載される対物レンズ１８については、０［℃］におけるレンズチルト感度ＬＴを３５［℃］における３次軸外コマ収差感度ｘ、５次軸外コマ収差感度ｙ及びレンズ厚感度ｚにより近似した関数Ｆ（ｘ，ｙ，ｚ）が許容値１３０［ｍλｒｍｓ／ｄｅｇｒｅｅ］以下となるよう設計した。これにより対物レンズ１８を搭載した光ディスク装置１０は、０［℃］におけるレンズチルト感度ＬＴを１３０［ｍλｒｍｓ／ｄｅｇｒｅｅ］以下にすることができ、Ｄ−ｓｋｅｗを表２の設計条件Ｃ１に示した許容値０．１０［ｄｅｇｒｅｅ］としたときにもスキューマージンを確保できる。【選択図】図１６
2011100527.tif 000002
【特許請求の範囲】
【請求項１】
樹脂材料からなり、波長４１０［ｎｍ］以下の光源から出射される入射光束を開口数０．８以上で光ディスクに集光する対物レンズであって、
０［℃］における、上記対物レンズを含む光学系の光学系光軸と上記対物レンズの光軸とのなす角度であるレンズチルト１［ｄｅｇｒｅｅ］あたりに発生する３次コマ収差の量であるレンズチルト感度が、１３０［ｍλｒｍｓ／ｄｅｇｒｅｅ］以下である
対物レンズ。
【請求項２】
上記樹脂材料は、
波長４０５［ｎｍ］における屈折率ｎが１．５０≦ｎ≦１．６０を満たし、且つ温度に対する屈折率傾きｄｎ／ｄＴが−１．３×１０−４≦ｄｎ／ｄＴ≦−１．０×１０−４を満たす
請求項１に記載の対物レンズ。
【請求項３】
上記対物レンズの焦点距離ｆは１．４１２［ｍｍ］であり、
上記樹脂材料の屈折率ｎは１．５６０であり、
上記樹脂材料の温度に対する屈折率傾きｄｎ／ｄＴは−１．０９×１０−４であり、
３５［℃］において、上記対物レンズに入射する上記光束の光軸が上記光学系光軸に対して１［ｄｅｇｒｅｅ］傾いたときに発生する３次及び５次のコマ収差をそれぞれ３次軸外コマ収差感度ｘ［ｍλｒｍｓ／ｄｅｇｒｅｅ］及び５次軸外コマ収差感度ｙ［ｍλｒｍｓ／ｄｅｇｒｅｅ］とし、上記対物レンズにおける両面のレンズ中心同士の間隔であるレンズ厚が設計値から１［μｍ］増加したときに発生する３次球面収差の量であるレンズ厚感度ｚ［ｍλｒｍｓ／μｍ］とするとき、次の（１）式に示す関数Ｆ（ｘ，ｙ，ｚ）が１３０以下となるように上記３次軸外コマ収差感度ｘ、上記５次軸外コマ収差感度ｙ及び上記レンズ厚感度ｚがそれぞれ定められている
請求項２に記載の対物レンズ。
【数１】
2011100527.tif 000036
【請求項４】
上記３次軸外コマ収差感度ｘは、−２５．００≦ｘ≦＋２５．００を満たし、
上記５次軸外コマ収差感度ｙは、−２５．００≦ｙ≦＋２５．００を満たし、
上記レンズ厚感度ｚは、−２５．００≦ｚ≦＋２５．００を満たす
請求項３に記載の対物レンズ。
【請求項５】
上記対物レンズの焦点距離ｆは１．４１２［ｍｍ］であり、
上記樹脂材料の屈折率ｎは１．５６０であり、
上記樹脂材料の温度に対する屈折率傾きｄｎ／ｄＴは−１．０９×１０−４であり、
３５［℃］において、上記対物レンズに入射する上記光束の光軸が上記光学系光軸に対して１［ｄｅｇｒｅｅ］傾いたときに発生する３次及び５次のコマ収差をそれぞれ３次軸外コマ収差感度ｘ［ｍλｒｍｓ／ｄｅｇｒｅｅ］及び５次軸外コマ収差感度ｙ［ｍλｒｍｓ／ｄｅｇｒｅｅ］とし、光源側光学面の面頂点から半径１．２０［ｍｍ］の箇所における、当該面頂点を通る平面からの光軸方向の長さを光源側サグ量ｗ［ｍｍ］とするとき、次の（２）式に示す関数Ｆ（ｘ，ｙ，ｗ）が１３０以下となるように上記３次軸外コマ収差感度ｘ、上記５次軸外コマ収差感度ｙ及び上記光源側サグ量ｗがそれぞれ定められている
請求項２に記載の対物レンズ。
【数２】
2011100527.tif 000037
【請求項６】
上記３次軸外コマ収差感度ｘは、−２５．００≦ｘ≦＋２５．００を満たし、
上記５次軸外コマ収差感度ｙは、−２５．００≦ｙ≦＋２５．００を満たし、
上記光源側サグ量ｗは、０．８５≦ｗ≦１．２３を満たす
請求項５に記載の対物レンズ。
【請求項７】
０℃における上記レンズチルト感度が１１５［ｍλｒｍｓ／ｄｅｇｒｅｅ］以下である
請求項１に記載の対物レンズ。
【請求項８】
上記樹脂材料は、
波長４０５［ｎｍ］における屈折率ｎが１．５０≦ｎ≦１．６０を満たし、且つ温度に対する屈折率傾きｄｎ／ｄＴが−１．３×１０−４≦ｄｎ／ｄＴ≦−１．０×１０−４を満たす
請求項７に記載の対物レンズ。
【請求項９】
上記対物レンズの焦点距離ｆは１．４１２［ｍｍ］であり、
上記樹脂材料の屈折率ｎは１．５６０であり、
上記樹脂材料の温度に対する屈折率傾きｄｎ／ｄＴは−１．０９×１０−４であり、
３５［℃］において、上記対物レンズに入射する上記光束の光軸が上記光学系光軸に対して１［ｄｅｇｒｅｅ］傾いたときに発生する３次及び５次のコマ収差をそれぞれ３次軸外コマ収差感度ｘ［ｍλｒｍｓ／ｄｅｇｒｅｅ］及び５次軸外コマ収差感度ｙ［ｍλｒｍｓ／ｄｅｇｒｅｅ］とし、上記対物レンズにおける両面のレンズ中心同士の間隔であるレンズ厚が設計値から１［μｍ］増加したときに発生する３次球面収差の量であるレンズ厚感度ｚ［ｍλｒｍｓ／μｍ］とするとき、次の（３）式に示す関数Ｆ（ｘ，ｙ，ｚ）が１１５以下となるように上記３次軸外コマ収差感度ｘ、上記５次軸外コマ収差感度ｙ及び上記レンズ厚感度ｚがそれぞれ定められている
請求項８に記載の対物レンズ。
【数３】
2011100527.tif 000038
【請求項１０】
上記３次軸外コマ収差感度ｘは、−２５．００≦ｘ≦＋２５．００を満たし、
上記５次軸外コマ収差感度ｙは、−２５．００≦ｙ≦＋２５．００を満たし、
上記レンズ厚感度ｚは、−２５．００≦ｚ≦＋２５．００を満たす
請求項９に記載の対物レンズ。
【請求項１１】
上記対物レンズの焦点距離ｆは１．４１２［ｍｍ］であり、
上記樹脂材料の屈折率ｎは１．５６０であり、
上記樹脂材料の温度に対する屈折率傾きｄｎ／ｄＴは−１．０９×１０−４であり、
上記レンズチルト感度は、
３５［℃］において、上記対物レンズに入射する上記光束の光軸が上記光学系光軸に対して１［ｄｅｇｒｅｅ］傾いたときに発生する３次及び５次のコマ収差をそれぞれ３次軸外コマ収差感度ｘ［ｍλｒｍｓ／ｄｅｇｒｅｅ］及び５次軸外コマ収差感度ｙ［ｍλｒｍｓ／ｄｅｇｒｅｅ］とし、光源側光学面の面頂点から半径１．２０［ｍｍ］の箇所における、当該面頂点を通る平面からの光軸方向の長さを光源側サグ量ｗ［ｍｍ］とするとき、次の（４）式に示す関数Ｆ（ｘ，ｙ，ｗ）が１１５以下となるように上記３次軸外コマ収差感度ｘ、上記５次軸外コマ収差感度ｙ及び上記光源側サグ量ｗがそれぞれ定められている
請求項８に記載の対物レンズ。
【数４】
2011100527.tif 000039
【請求項１２】
上記３次軸外コマ収差感度ｘは、−２５．００≦ｘ≦＋２５．００を満たし、
上記５次軸外コマ収差感度ｙは、−２５．００≦ｙ≦＋２５．００を満たし、
上記光源側サグ量ｗは、０．８５≦ｗ≦１．２３を満たす
請求項１１に記載の対物レンズ。
【請求項１３】
波長４１０［ｎｍ］以下の光束を出射する光源と、
樹脂材料からなり、上記光束を開口数０．８以上で光ディスクに集光する対物レンズであって、０［℃］における、上記対物レンズを含む光学系の光学系光軸と上記対物レンズの光軸とのなす角度であるレンズチルト１［ｄｅｇｒｅｅ］あたりに発生する３次コマ収差の量であるレンズチルト感度が、１３０［ｍλｒｍｓ／ｄｅｇｒｅｅ］以下である対物レンズと
を有する光ピックアップ。
【請求項１４】
上記光源から出射された光束を収束又は発散させて、上記対物レンズに入射させるコリメータレンズと、
上記コリメータレンズを上記光学系光軸に沿った方向に移動させることにより、上記対物レンズに入射する光束の入射倍率を変化させるコリメータレンズ移動部と
を有する請求項１３に記載の光ピックアップ。
【請求項１５】
波長４１０［ｎｍ］以下の光束を出射する光源と、
上記光束を収束又は発散させるコリメータレンズと、
樹脂材料からなり、上記コリメータレンズを介して入射される上記光束を開口数０．８以上で光ディスクに集光する対物レンズであって、０［℃］における、上記対物レンズを含む光学系の光学系光軸と上記対物レンズの光軸とのなす角度であるレンズチルト１［ｄｅｇｒｅｅ］あたりに発生する３次コマ収差の量であるレンズチルト感度が、１３０［ｍλｒｍｓ／ｄｅｇｒｅｅ］以下である対物レンズと、
上記コリメータレンズを上記光学系光軸に沿った方向に移動させることにより、上記対物レンズに入射する光束の入射倍率を変化させるコリメータレンズ移動部と、
上記コリメータレンズを移動させることにより球面収差を補正する制御部と
を有する光ディスク装置。
【発明の詳細な説明】
【技術分野】
【０００１】
本発明は対物レンズ、光ピックアップ及び光ディスク装置に関し、例えば光ディスクに情報を記録し、また当該光ディスクから情報を再生する光ディスク装置に適用して好適なものである。
【背景技術】
【０００２】
従来、光ディスク装置においては、ＣＤ（Compact Disc）、ＤＶＤ（Digital Versatile Disc）等の光ディスクに対して情報を記録し、また当該光ディスクから当該情報を読み出すようになされたものが広く普及していた。近年、これに加えて光ディスクに対する情報記録の密度を大幅に高めたＢｌｕ−ｒａｙ  Ｄｉｓｃ（登録商標、以下ＢＤと呼ぶ）が普及しつつある。
【０００３】
光ディスク装置は、光ディスクの記録層に螺旋状又は同心円状に形成されているトラックに対し、対物レンズにより光ビームを集光してその焦点を追従させるようになされている。
【０００４】
例えばＤＶＤ方式に対応する場合、対物レンズは波長約６６０［ｎｍ］の光ビームを開口数（ＮＡ）約０．６以上で光ディスクにおける約０．６［ｍｍ］のカバー層の下に設けられた記録層に集光させていた。
【０００５】
これに対してＢＤ方式に対応する場合、光ディスクの情報記録面上の光スポット径を微小なものとするため、対物レンズは、波長約４０５［ｎｍ］の光ビームを開口数（ＮＡ）０．８以上で光ディスクにおける約０．１［ｍｍ］のカバー層の下に設けられた記録層に集光させる必要がある。
【０００６】
ところで近年、青色レーザ光に対し優れた耐光性を有する樹脂材料が開発されたこともあり、ＢＤ方式でも低コスト化や軽量化等の観点から、従来のガラス材料に代えて樹脂材料により構成された対物レンズが導入されようとしている。
【０００７】
しかし樹脂材料からなる対物レンズは、ガラス材料からなる対物レンズと比較して、屈折率の温度依存性が大きいため、温度変化により光学特性が変化しやすい、といった性質がある。一方、光ディスク装置に搭載される対物レンズの動作保証温度範囲としては、使用環境や内部温度上昇等を考慮して、例えば０〜７０［℃］が想定されている。
【０００８】
例えば、樹脂材料からなる対物レンズを用いた光ディスク装置において、動作温度範囲のほぼ中心である３５［℃］を基準温度として、３次球面収差量がほぼ０［ｍλｒｍｓ］となるように設計及び調整したとする。するとこの光ディスク装置では、図１に特性曲線ＱＴＳとして示すように、０〜７０［℃］の範囲における高温側及び低温側ともに３次の球面収差がマレシャル基準の７０［ｍλｒｍｓ］を超えてしまい、信号品質に問題が出る恐れがある。
【０００９】
そこで光ディスク装置のなかには、光ビームを収束又は発散させるコリメータレンズを光軸に沿って位置調整することにより、対物レンズに入射する光ビームの入射倍率を変化させ、球面収差を補正するものが提案されている（例えば、特許文献１参照）。
【００１０】
因みに入射倍率の符号は、対物レンズに対して発散光が入射される場合を正、収束光が入射される場合を負と定義することとする。
【００１１】
この光ディスク装置では、例えば図２に特性曲線ＱＭＳ３５として示すように、温度が３５［℃］の場合、入射倍率を０としたとき、すなわち対物レンズへの入射光が平行光のときに３次球面収差量が０［ｍλｒｍｓ］となるように設計されている。
【００１２】
一方、温度が０［℃］の場合、特性曲線ＱＭＳ０として示すように、入射倍率が０のままでは３次球面収差は約１４０［ｍλｒｍｓ］となってしまう。しかし対物レンズへの入射倍率を約−０．００５の収束光とすれば、３次球面収差量をほぼ０［ｍλｒｍｓ］に抑え得ることがわかる。
【００１３】
このように、温度の変化による３次の球面収差については、コリメータレンズを光軸に沿って位置調整することにより補正することができる。
【先行技術文献】
【特許文献】
【００１４】
【特許文献１】特開２００５−３２７３９６公報（第２図）
【発明の概要】
【発明が解決しようとする課題】
【００１５】
しかしながら、樹脂材料からなる対物レンズを用いた光ディスク装置では、温度の変化に伴う３次の球面収差を０にするよう補正できたとしても、低温での対物レンズの傾きに対するコマ収差の発生量は大きくなってしまうという問題があることが分かった。以下では、屈折率を１．６２、厚さを８７．５［μm］とするカバー層を挿入された状態における、対物レンズの単位傾きあたりの３次のコマ収差の発生量をレンズチルト感度と呼ぶ。
【００１６】
例えば図３に特性曲線ＱＴＬとして示すように、樹脂材料からなる対物レンズでは、温度の低下に伴いレンズチルト感度が増大してしまう。対物レンズの動作温度範囲である０〜７０［℃］では、０［℃］におけるレンズチルト感度が最も大きくなっており、僅かな対物レンズの傾きにより比較的大きなコマ収差が発生してしまうことがわかる。
【００１７】
この低温におけるレンズチルト感度の増大は、温度変化により発生する３次の球面収差が０となるようにコリメータレンズを移動していることが大きく影響している。
【００１８】
レンズチルト感度は、図４に特性曲線ＱＭＬ３５及びＱＭＬ０として示すように、温度が３５［℃］のときよりも０［℃］のときの方が、全般的に大きな値となる。例えば対物レンズへの入射倍率が０に固定されている場合、レンズチルト感度は、３５［℃］のときに約１００［ｍλｒｍｓ／ｄｅｇｒｅｅ］である一方、０［℃］のときに約１１０［ｍλｒｍｓ／ｄｅｇｒｅｅ］程度にまで増加する。
【００１９】
さらに、例えば温度が３５［℃］から０［℃］に変化した場合に、３次の球面収差を補正（キャンセル）するべく入射倍率が０から約−０．００５まで変化することを考慮すると、０［℃］におけるレンズチルト感度は、約１１０［ｍλｒｍｓ／ｄｅｇｒｅｅ］から約１４０［ｍλｒｍｓ／ｄｅｇｒｅｅ］にまで増大してしまう。
【００２０】
このことは、光ディスク装置において、基準温度（３５［℃］）で各種収差を最小に止めるよう設計し位置調整等を行い、さらに３次球面収差に着目し温度の変化に応じて入射倍率を変化させたとしても、特に低温（例えば０［℃］）でレンズチルト感度が大きくなることを意味している。
【００２１】
上述した内容を鑑み、樹脂材料からなる対物レンズを用いるＢＤ方式の光ピックアップでは、光ディスクの反り等に応じて発生するコマ収差を、対物レンズの傾きによって発生するコマ収差でキャンセルするために、対物レンズのディスクラジアル方向の傾きを調整するチルト調整機構が検討されてきた。
【００２２】
このチルト調整機構では、高温でレンズチルト感度が小さくなり対物レンズを傾けてもコマ収差をキャンセルできないという問題があり、各種の対策も検討されてきた。しかしながら低温でレンズチルト感度が大きくなることは、コマ収差をキャンセルする上では支障がなかったため、問題としては認識されてこなかった。
【００２３】
ところで、光ピックアップにおいて対物レンズのチルト調整を行う方式とは異なり、コマ収差を組み付け精度で保証するよう対物レンズを設計する方式が考えられる。
【００２４】
しかしながら、従来、低温におけるレンズチルト感度のあるべき範囲については何ら示されておらず、これまでの手法で設計された対物レンズが、チルト調整を行わない場合にも適用可能か否かは不明であった。
【００２５】
これまで、設計時点で低温（例えば０［℃］）のレンズチルト感度を所望の値以下とするための設計手法については確立されていなかった。またさらに、設計中心の温度とは異なる温度におけるレンズチルト感度は、対物レンズの屈折率やレンズ面形状等の変更を要する非常に複雑な計算を必要とするため、対物レンズ設計時に効率的に確認しづらいという面があった。
【００２６】
例えば従来の設計による典型的な対物レンズＳＰ１及びＳＰ２は、表１に示すような諸元値を有している。対物レンズＳＰ１及びＳＰ２における光源側レンズ面及びディスク側レンズ面は、光軸からの距離Ｒとなる点の光軸上での接平面からの距離ＡＳＰ（Ｒ）を表す（１）式に、表１の各係数（非球面係数）をそれぞれ適用して表される非球面となっている。因みに対物レンズＳＰ１の縦収差図は、図５のようになる。
【００２７】
【表１】
2011100527.tif 000003
【００２８】
【数１】
2011100527.tif 000004
【００２９】
表１に示したように、従来の設計による対物レンズＳＰ１及びＳＰ２は、共に焦点距離ｆが１．４１２［ｍｍ］であり、屈折率ｎが１．５６０、温度と屈折率との関係を直線近似したときの傾きである温度屈折率傾きｄｎ／ｄＴが−１．０９×１０−４の樹脂材料で成型されている。
【００３０】
また表１には、屈折率を１．６２、厚さを８７．５［μm］とするカバー層を挿入された状態で、３５［℃］における各対物レンズに対する光ビームの入射角度あたりの光軸外で発生するコマ収差の発生量を軸外コマ収差感度［ｍλｒｍｓ／ｄｅｇｒｅｅ］と定義したときの、３次及び５次の軸外コマ収差感度［ｍλｒｍｓ／ｄｅｇｒｅｅ］をそれぞれ示している。
【００３１】
さらに表１には、３５℃における各対物レンズのレンズ中心厚増加量あたりの球面収差の発生量をレンズ厚感度［ｍλｒｍｓ／μｍ］と定義したときの、３次のレンズ厚感度［ｍλｒｍｓ／μｍ］もそれぞれ示している。
【００３２】
軸外コマ収差感度及びレンズ厚感度の値については、従来より、小さいほど（すなわち０に近いほど）ばらつきの影響を受けにくく良好であると考えられていた。
【００３３】
従来の対物レンズＳＰ１及びＳＰ２については、表１に示したように３次の軸外コマ収差感度及び５次の軸外コマ収差感度が共に±１［ｍλｒｍｓ／ｄｅｇｒｅｅ］以下であり、また３次のレンズ厚感度も１［ｍλｒｍｓ／μｍ］以下であるため、それぞれ良好といえる。
【００３４】
しかしながら表１に示したように、低温でのレンズチルト感度は、対物レンズＳＰ１が１４３．１９［ｍλｒｍｓ／ｄｅｇｒｅｅ］、対物レンズＳＰ２が１４４．３９［ｍλｒｍｓ／ｄｅｇｒｅｅ］であり、共に１４４［ｍλｒｍｓ／ｄｅｇｒｅｅ］前後の値となっている。
【００３５】
ここで、対物レンズのチルト感度を行わずにコマ収差を精度で保証する方式の光ピックアップに用いる対物レンズにおいて、低温でのレンズチルト感度が大きいということは、例えば光ピックアップを組み立てる際に生じる対物レンズの僅かな傾きの影響が、低温において大きなコマ収差となって現れやすいことを意味している。
【００３６】
すなわちこのような光ピックアップに用いられる対物レンズでは、低温でのレンズチルト感度が極力小さい方が好ましい。しかしながら、低温でのレンズチルト感度の許容限界値については、これまで明らかにされていなかった。
【００３７】
また、この許容限界値が判明したとしても、低温でのレンズチルト感度がこの許容限界値を満足するような対物レンズの実現方法についても、これまで明らかにされていなかった。
【００３８】
このように低温におけるレンズチルト感度が大きい場合、対物レンズは、入射角度誤差に対するコマ収差の発生量が大きくなるため、光学特性が劣化してしまう。これに伴い、このような対物レンズを用いる光ピックアップ及び光ディスク装置では、光ディスクに対する記録再生精度が低下してしまう恐れがあった。
【００３９】
本発明は以上の点を考慮してなされたもので、温度変化による光学特性の劣化を抑え得る対物レンズ、光ピックアップ及び光ディスク装置を提案しようとするものである。
【課題を解決するための手段】
【００４０】
かかる課題を解決するため請求項１に係る対物レンズにおいては、樹脂材料からなり、波長４１０［ｎｍ］以下の光源から出射される入射光束を開口数０．８以上で光ディスクに集光する対物レンズであって、０［℃］における、上記対物レンズを含む光学系の光学系光軸と上記対物レンズの光軸とのなす角度であるレンズチルト１［ｄｅｇｒｅｅ］あたりに発生する３次コマ収差の量であるレンズチルト感度が、１３０［ｍλｒｍｓ／ｄｅｇｒｅｅ］以下とするようにした。
【００４１】
この対物レンズは、波長４１０［ｎｍ］以下でなる入射光束を開口数０．８以上で光ディスクに集光するＢＤ方式において、特に対物レンズのチルト角を調整せず、その組み付け精度により保証する方式の光ピックアップに用いるものである。
【００４２】
具体的にこの対物レンズは、０［℃］のような低温におけるレンズチルト感度を上記の所定の範囲内に納めるよう設計することにより、低温における３次コマ収差の悪化を実用上問題のない範囲に抑えるものである。
【００４３】
これにより、当該対物レンズが光ディスクに対し傾いたときであっても、コマ収差の発生量を小さく抑え、ＢＤ方式における記録再生特性の悪化を防止できる。
【００４４】
さらに請求項３に係る対物レンズにおいては、対物レンズの焦点距離ｆは１．４１２［ｍｍ］であり、樹脂材料の屈折率ｎは１．５６０であり、樹脂材料の温度に対する屈折率傾きｄｎ／ｄＴは−１．０９×１０−４であり、３５［℃］において、対物レンズに入射する光束の光軸が光学系光軸に対して１［ｄｅｇｒｅｅ］傾いたときに発生する３次及び５次のコマ収差をそれぞれ３次軸外コマ収差感度ｘ［ｍλｒｍｓ／ｄｅｇｒｅｅ］及び５次軸外コマ収差感度ｙ［ｍλｒｍｓ／ｄｅｇｒｅｅ］とし、対物レンズにおける両面のレンズ中心同士の間隔であるレンズ厚が設計値から１［μｍ］増加したときに発生する３次球面収差の量であるレンズ厚感度ｚ［ｍλｒｍｓ／μｍ］とするとき、次の（２）式に示す関数Ｆ（ｘ，ｙ，ｚ）が１３０以下となるように３次軸外コマ収差感度ｘ、５次軸外コマ収差感度ｙ及び上記レンズ厚感度ｚをそれぞれ定めるようにした。
【００４５】
【数２】
2011100527.tif 000005
【００４６】
この対物レンズでは、（２）式に示したように、０［℃］におけるレンズチルト感度が、対物レンズの使用温度範囲の中心であり、レンズ設計の中心でもある３５［℃］における３次軸外コマ収差感度ｘ、５次軸外コマ収差感度ｙ及びレンズ厚感度ｚそれぞれについて線形な関係にあることを利用した。
【００４７】
ところで対物レンズの設計において、３次軸外コマ収差感度ｘ、５次軸外コマ収差感度ｙ及びレンズ厚感度ｚは、頻繁に用いられるパラメータである。
【００４８】
すなわち本発明による対物レンズは、数多くあるパラメータのうち、このように頻繁に用いられる３５［℃］における３次軸外コマ収差感度ｘ、５次軸外コマ収差感度ｙ及びレンズ厚感度ｚについて（２）式を満たすよう適切に定めることにより、０［℃］におけるレンズチルト感度を１３０［ｍλｒｍｓ／ｄｅｇｒｅｅ］以下に抑えることができ、ＢＤ方式における記録再生特性の悪化を防止できる。
【００４９】
このように本発明では、対物レンズの０［℃］におけるレンズチルト感度が、３５［℃］での主要な設計パラメータである３次軸外コマ収差感度ｘ、５次軸外コマ収差感度ｙ及びレンズ厚感度ｚの３つのパラメータを用いた（２）式により、十分な精度で予見又は近似できることを示した。
【００５０】
すなわち（２）式を用いることにより、対物レンズの低温におけるレンズチルト感度を低く抑えることが可能であることを明らかにした。
【００５１】
また（２）式により、対物レンズの３次軸外コマ収差感度ｘ、５次軸外コマ収差感度ｙ及びレンズ厚感度ｚを全てゼロに近い小さな値にした場合には、低温でのレンズチルト感度を１３０［ｍλｒｍｓ／ｄｅｇｒｅｅ］以下にすることはできないことも分かる。
【００５２】
すなわち、従来のように上記各収差感度をそれぞれ小さくする手法では低温でのレンズチルト感度は逆に悪化してしまうため、（２）式に基づき低温でのレンズチルト感度を満足しつつ、各収差感度を実用上問題のない範囲に収めるというバランスの良い設計をすれば良い。
【００５３】
また請求項５に係る対物レンズにおいては、対物レンズの焦点距離ｆは１．４１２［ｍｍ］であり、樹脂材料の屈折率ｎは１．５６０であり、樹脂材料の温度に対する屈折率傾きｄｎ／ｄＴは−１．０９×１０−４であり、３５［℃］において、対物レンズに入射する光束の光軸が光学系光軸に対して１［ｄｅｇｒｅｅ］傾いたときに発生する３次及び５次のコマ収差をそれぞれ３次軸外コマ収差感度ｘ［ｍλｒｍｓ／ｄｅｇｒｅｅ］及び５次軸外コマ収差感度ｙ［ｍλｒｍｓ／ｄｅｇｒｅｅ］とし、光源側光学面の面頂点から半径１．２０［ｍｍ］の箇所における、当該面頂点を通る平面からの光軸方向の長さを光源側サグ量ｗ［ｍｍ］とするとき、次の（３）式に示す関数Ｆ（ｘ，ｙ，ｗ）が１３０以下となるように上記３次軸外コマ収差感度ｘ、上記５次軸外コマ収差感度ｙ及び上記光源側サグ量ｗをそれぞれ定めるようにした。
【００５４】
【数３】
2011100527.tif 000006
【００５５】
すなわち対物レンズは、レンズ厚感度ｚに代わる光源側サグ量ｗについても、０［℃］におけるレンズチルト感度と線形な関係にあることを利用し、３５［℃］における３次軸外コマ収差感度ｘ、５次軸外コマ収差感度ｙ及び当該光源側サグ量ｗについて（３）式を満たすよう適切に定めることによっても、０［℃］におけるレンズチルト感度を小さく抑えることができ、ＢＤ方式における記録再生特性の悪化を防止できる。
【００５６】
また本発明の光ピックアップにおいては、波長４１０［ｎｍ］以下の光束を出射する光源と、樹脂材料からなり、光束を開口数０．８以上で光ディスクに集光する対物レンズであって、０［℃］における、対物レンズを含む光学系の光学系光軸と対物レンズの光軸とのなす角度であるレンズチルト１［ｄｅｇｒｅｅ］あたりに発生する３次コマ収差の量であるレンズチルト感度が、１３０［ｍλｒｍｓ／ｄｅｇｒｅｅ］以下である対物レンズとを設けるようにした。
【００５７】
本発明の光ピックアップは、対物レンズの低温（０［℃］）におけるレンズチルト感度の値を１３０［ｍλｒｍｓ／ｄｅｇｒｅｅ］以下とすることにより、当該対物レンズが光ディスクに対し傾いたときであっても、コマ収差の発生量を小さく抑え、ＢＤ方式における記録再生特性の悪化を防止できる。
【００５８】
さらに本発明の光ディスク装置においては、波長４１０［ｎｍ］以下の光束を出射する光源と、光束を収束又は発散させるコリメータレンズと、樹脂材料からなり、コリメータレンズを介して入射される光束を開口数０．８以上で光ディスクに集光する対物レンズであって、０［℃］における、対物レンズを含む光学系の光学系光軸と対物レンズの光軸とのなす角度であるレンズチルト１［ｄｅｇｒｅｅ］あたりに発生する３次コマ収差の量であるレンズチルト感度が、１３０［ｍλｒｍｓ／ｄｅｇｒｅｅ］以下である対物レンズと、コリメータレンズを光学系光軸に沿った方向に移動させることにより、対物レンズに入射する光束の入射倍率を変化させるコリメータレンズ移動部と、コリメータレンズを移動させることにより球面収差を補正する制御部とを設けるようにした。
【００５９】
本発明の光ディスク装置は、対物レンズの低温（０［℃］）におけるレンズチルト感度の値を１３０［ｍλｒｍｓ／ｄｅｇｒｅｅ］以下とすることにより、当該対物レンズが光ディスクに対し傾いたときであっても、コマ収差の発生量を小さく抑え、ＢＤ方式における記録再生特性の悪化を防止できる。
【発明の効果】
【００６０】
本発明によれば、対物レンズの低温（０［℃］）におけるレンズチルト感度の値を１３０［ｍλｒｍｓ／ｄｅｇｒｅｅ］以下とすることにより、当該対物レンズが光ディスクに対し傾いたときであっても、コマ収差の発生量を小さく抑え、ＢＤ方式における記録再生特性の悪化を防止できる。かくして本発明は、温度変化による光学特性の劣化を抑え得る対物レンズ、光ピックアップ及び光ディスク装置を実現できる。
【図面の簡単な説明】
【００６１】
【図１】対物レンズの温度と３次球面収差量との関係を示す略線図である。
【図２】対物レンズへの入射倍率と３次球面収差量との関係を示す略線図である。
【図３】対物レンズの温度とレンズチルト感度との関係を示す略線図である。
【図４】対物レンズへの入射倍率とレンズチルト感度との関係を示す略線図である。
【図５】従来の対物レンズの縦収差図を示す略線図である。
【図６】光ディスク装置の全体構成を示す略線図である。
【図７】光ピックアップの構成を示す略線図である。
【図８】設計状態における光学系光軸、ビーム光軸、レンズ光軸及びディスク光軸の関係を示す略線図である。
【図９】軸外状態における光学系光軸に対するビーム光軸の傾きを示す略線図である。
【図１０】ディスクチルト状態における光学系光軸に対するディスク光軸の傾きを示す略線図である。
【図１１】レンズチルト状態における光学系光軸に対するレンズ光軸の傾きを示す略線図である。
【図１２】レンズ中心厚の変化を示す略線図である。
【図１３】３次軸外コマ収差感度と０［℃］におけるレンズチルト感度との関係（１）を示す略線図である。
【図１４】レンズ厚感度と０［℃］におけるレンズチルト感度との関係を示す略線図である。
【図１５】３次軸外コマ収差感度と０［℃］におけるレンズチルト感度との関係（２）を示す略線図である。
【図１６】３次軸外コマ収差感度、５次軸外コマ収差感度及びレンズ厚感度と、数値実施例、参考例及び従来例との関係を関連付けて示す略線図である。
【図１７】光源側サグ量の定義を示す略線図である。
【図１８】サグ量とレンズ厚感度との関係を示す略線図である。
【図１９】第１数値実施例による対物レンズの縦収差図を示す略線図である。
【図２０】第２数値実施例による対物レンズの縦収差図を示す略線図である。
【図２１】第３数値実施例による対物レンズの縦収差図を示す略線図である。
【図２２】第４数値実施例による対物レンズの縦収差図を示す略線図である。
【図２３】第５数値実施例による対物レンズの縦収差図を示す略線図である。
【発明を実施するための形態】
【００６２】
以下、発明を実施するための形態（以下実施の形態とする）について、図面を用いて説明する。なお、説明は以下の順序で行う。
１．実施の形態
２．対物レンズの設計
３．数値実施例
４．動作及び効果
５．他の実施の形態
【００６３】
＜１．実施の形態＞
［１−１．光ディスク装置の構成］
図６に示すように、光ディスク装置１０は、光情報記録媒体として、例えばＢＤ方式の光ディスク１００に情報を記録し、また当該光ディスク１００から情報を再生するようになされている。この光ディスク１００は、螺旋状のトラックが形成された記録層が設けられている。
【００６４】
光ディスク装置１０は、制御部１２により全体を統括制御するようになされている。制御部１２は、図示しないＣＰＵ（Central Processing Unit）を中心に構成されており、図示しないＲＯＭ（Read Only Memory）から各種プログラムを読み出し、これらを図示しないＲＡＭ（Random Access Memory）に展開する。これにより制御部１２は、情報記録処理及び情報再生処理等の各種処理を実行するようになされている。
【００６５】
例えば制御部１２は、光ディスク１００に情報を記録する場合、図示しない外部機器等から情報記録命令、記録情報及び記録アドレス情報を受け付け、記録アドレス情報及び駆動命令を駆動制御部１３へ供給すると共に、記録情報を信号処理部１４へ供給する。因みに記録アドレス情報は、記録情報を記録すべきアドレスを示す情報である。
【００６６】
駆動制御部１３は、駆動命令に従い、スピンドルモータ１５を駆動制御することにより、ターンテーブル１５Ｔに装着された光ディスク１００を所定の回転速度で回転させる。また駆動制御部１３は、スレッドモータ１６を駆動制御することにより、光ピックアップ１７を移動軸Ｇに沿って光ディスク１００の半径方向（すなわち内周方向又は外周方向）における記録アドレス情報に対応した位置へ移動させる。
【００６７】
信号処理部１４は、供給された記録情報に対して所定の符号化処理や変調処理等の各種信号処理を施すことにより記録信号を生成し、これを光ピックアップ１７へ供給する。
【００６８】
光ピックアップ１７は、後述するフォーカス制御及びトラッキング制御を行うことにより、光ディスク１００の記録層に光ビームＬの焦点Ｆを合わせる。これと共に光ピックアップ１７は、信号処理部１４からの記録信号に応じて光ビームＬの光強度を調整することにより、光ディスク１００の記録層に情報を記録するようになされている。
【００６９】
また制御部１２は、光ディスク１００から情報を再生する場合、例えば外部機器（図示せず）から情報再生命令等を受け付けると、駆動制御部１３に対して駆動命令を供給すると共に、再生処理命令を信号処理部１４へ供給する。
【００７０】
駆動制御部１３は、情報を記録する場合と同様、光ディスク１００を所定の回転速度で回転させ、光ピックアップ１７を情報再生命令に対応した位置へ移動させる。
【００７１】
光ピックアップ１７は、後述するフォーカス制御及びトラッキング制御を行うことにより、光ディスク１００の記録層に当該光ビームＬの焦点Ｆを合わせると共に、光ビームＬの光強度を再生用に調整する。
【００７２】
光ビームＬは、記録層により反射され反射光ビームＬＲとなる。光ピックアップ１７は、この反射光ビームＬＲを検出し、その光量に応じた受光信号を信号処理部１４へ供給する。
【００７３】
信号処理部１４は、供給された受光信号に対して所定の復調処理や復号化処理等の各種信号処理を施すことにより再生情報を生成し、この再生情報を制御部１２へ供給する。制御部１２は、この再生情報を外部機器（図示せず）へ送出するようになされている。
【００７４】
因みに光ディスク装置１０に用いられる対物レンズ１８は、使用される温度範囲として、０〜７０［℃］が想定されている。
【００７５】
このように光ディスク装置１０は、制御部１２によって光ピックアップ１７を制御することにより、光ディスク１００に情報を記録し、また当該光ディスク１００から情報を再生するようになされている。
【００７６】
［１−２．光ピックアップの構成］
次に、光ピックアップ１７の構成について説明する。光ピックアップ１７は、図７に示すように、複数の光学部品により構成されている。
【００７７】
レーザダイオード２１は、制御部１２及び信号処理部１４（図６）の制御に基づき波長約４０５［ｎｍ］でなる光ビームＬを出射し、偏光ビームスプリッタ２２に入射させる。因みにレーザダイオード２１は、光ビームＬがＳ偏光となるよう取付角度等が調整されている。
【００７８】
偏光ビームスプリッタ２２は、偏光面２２Ｓにより光ビームの偏光方向に応じた割合で当該光ビームを反射又は透過させるようになされている。実際上偏光ビームスプリッタ２２は、入射された光ビームＬのうちＳ偏光の成分、すなわちほぼ全てを反射させ、１／４波長板２３へ入射させる。
【００７９】
１／４波長板２３は、光ビームを直線偏光と円偏光との間で相互変換させるようになされており、Ｓ偏光でなる光ビームＬを例えば左円偏光に変換し、コリメータレンズ２４へ入射させる。
【００８０】
コリメータレンズ２４は、光ビームＬを発散光から平行光に変換し、対物レンズ１８へ入射させる。またコリメータレンズ２４は、アクチュエータ２５を介して光ビームＬの光軸に沿って位置調整され得るようになされている。
【００８１】
対物レンズ１８は、所定の樹脂材料が金型等によって成形されることにより製造されている。また対物レンズ１８は、レーザダイオード２１からの光ビームＬが入射される光源側レンズ面１８Ａと、光ディスク１００に対向し当該光ビームＬを出射するディスク側レンズ面１８Ｂとを有している。
【００８２】
対物レンズ１８は、駆動制御部１３の制御に基づき、アクチュエータ２６によりフォーカス方向及びトラッキング方向へ移動されるように、すなわちフォーカス制御及びトラッキング制御されるようになされている。
【００８３】
因みにフォーカス方向とは、光ディスク１００に対し近接又は離隔する方向（すなわち図７の上下方向）を表し、トラッキング方向とは光ディスク１００の内周側又は外周側へ向かう方向（すなわち図７の左右方向）を表す。
【００８４】
対物レンズ１８は、光ビームＬを集光し、焦点Ｆを光ディスク１００の記録層に合わせる。このとき光ディスク１００の記録層では、光ビームＬが反射され、反射光ビームＬＲとなる。因みに反射光ビームＬＲは、反射時に円偏光の旋回方向が反転されるため、右円偏光となる。
【００８５】
反射光ビームＬＲは、対物レンズ１８により発散光から平行光に変換され、コリメータレンズ２４により収束光に変換されて、１／４波長板２３によりＰ偏光（直線偏光）に変換して、偏光ビームスプリッタ２２に入射させる。
【００８６】
偏光ビームスプリッタ２２は、Ｐ偏光でなる反射光ビームＬＲを偏光面２２Ｓにより透過してフォトディテクタ２７へ照射する。
【００８７】
フォトディテクタ２７は、照射された反射光ビームＬＲを複数の受光領域により受光し、それぞれの受光量に応じた受光信号を生成して信号処理部１４へ供給する。
【００８８】
信号処理部１４は、受光信号に基づいた所定の演算処理を行うことにより、フォーカスエラー信号、トラッキングエラー信号及び再生ＲＦ信号をそれぞれ生成するようになされている。
【００８９】
さらに光ピックアップ１７は、温度変化によって球面収差が発生した場合、アクチュエータ２５を制御することにより、コリメータレンズ２４を移動させる。
【００９０】
かくして光ピックアップ１７は、光ビームＬが光ディスク１００に照射される際に対物レンズ１８の近傍の温度に応じて発生する３次の球面収差を、コリメータレンズ２４により補正するようになされている。
【００９１】
このように光ピックアップ１７は、光ディスク１００の記録層に対し対物レンズ１８により光ビームＬを集光すると共に、反射光ビームＬＲを受光するようになされている。
【００９２】
＜２．対物レンズの設計＞
［２−１．用語の定義］
ところで光ピックアップ１７は、図８に示すように、光学系における光軸（以下これを光学系光軸ＸＳと呼ぶ）を規定した上で、各種光学部品の配置等が設計されている。これを換言すれば、光学系光軸ＸＳは、光ピックアップ１７における各光学部品の全ての光学中心を結んだ線に相当する。
【００９３】
通常の場合、光ピックアップ１７は、対物レンズ１８へ入射される光ビームＬ（以下これを入射光ビームＬ１と呼ぶ）の光軸（以下これをビーム光軸ＸＢと呼ぶ）が光学系光軸ＸＳに一致するよう設計されている。
【００９４】
また光ピックアップ１７は、対物レンズ１８における光源側レンズ面１８Ａ及びディスク側レンズ面１８Ｂの曲率中心同士を結んだ光軸（以下これをレンズ光軸ＸＬと呼ぶ）も光学系光軸ＸＳに一致するよう設計されている。
【００９５】
さらに光ピックアップ１７は、光ディスク１００の光ビームＬが照射される箇所における法線（以下これをディスク光軸ＸＤと呼ぶ）も、光学系光軸ＸＳに一致するよう設計されている。
【００９６】
以下では、図８に示したように、通常の光ピックアップ１７において光学系光軸ＸＳとビーム光軸ＸＢ、レンズ光軸ＸＬ及びディスク光軸ＸＤとが全て一致した状態を、設計状態と呼ぶ。またこのときの入射光ビームＬ１、対物レンズ１８及び光ディスク１００それぞれの状態についても、設計状態と呼ぶものとする。
【００９７】
しかしながら実際の光ピックアップ１７では、例えば図９に示すように、光学系光軸ＸＳに対しビーム光軸ＸＢが傾く可能性がある。また光ピックアップ１７では、例えば図１０に示すように、光学系光軸ＸＳに対しディスク光軸ＸＤが傾く可能性もある。さらに光ピックアップ１７では、例えば図１１に示すように、光学系光軸ＸＳに対しレンズ光軸ＸＬが傾く可能性もある。
【００９８】
以下では、図９〜図１１に示したそれぞれの状態について、順次説明する。
【００９９】
［２−１−１．軸外状態及び軸外コマ収差感度］
図９に示したように、対物レンズ１８及び光ディスク１００が設計状態にあり入射光ビームＬ１のみが傾いている状態、すなわちレンズ光軸ＸＬ及びディスク光軸ＸＤが光学系光軸ＸＳと一致しており、ビーム光軸ＸＢのみが光学系光軸ＸＳに対し傾いている状態を、軸外状態と呼ぶ。また、このときビーム光軸ＸＢと光学系光軸ＸＳとのなす角度を入射角度θＢと定義する。
【０１００】
ここで、対物レンズの使用温度が３５［℃］のときに、入射角度θＢが１［ｄｅｇｒｅｅ］当たりに発生する３次及び５次のコマ収差の発生量を、それぞれ３次軸外コマ収差感度ｘ［ｍλｒｍｓ／ｄｅｇｒｅｅ］及び５次軸外コマ収差感度ｙ［ｍλｒｍｓ／ｄｅｇｒｅｅ］と定義する。このような軸外状態における収差特性は、軸外特性とも呼ばれる。
【０１０１】
一般的に、３次軸外コマ収差感度ｘ及び５次軸外コマ収差感度ｙのいずれも、その値がゼロに近いほど、入射光ビームＬ１が光学系光軸ＸＳに対して傾いたときのコマ収差量が小さくなる。従って、３次軸外コマ収差感度ｘ及び５次軸外コマ収差感度ｙは、原則的には、それぞれゼロに近い値が好ましいと考えられる。
【０１０２】
［２−１−２．ディスクチルト状態］
次に、図１０に示したように、入射光ビームＬ１及び対物レンズ１８が設計状態にあり光ディスク１００のみが傾いている状態、すなわちビーム光軸ＸＢ及びレンズ光軸ＸＬが光学系光軸ＸＳと一致しており、ディスク光軸ＸＤのみが光軸系光軸ＸＳに対し傾いている状態を、ディスクチルト状態と呼ぶ。
【０１０３】
光ピックアップ１７では、このような光ディスク１００の傾きによっても、３次及び５次のコマ収差が発生する。このようなディスクチルト状態における収差特性は、ディスクチルト特性とも呼ばれる。
【０１０４】
［２−１−３．レンズチルト状態及びレンズチルト感度］
次に、図１１に示したように、入射光ビームＬ１及び光ディスク１００が設計状態にあり対物レンズ１８のみが傾いている状態、すなわちビーム光軸ＸＢ及びディスク光軸ＸＤが光学系光軸ＸＳと一致しており、レンズ光軸ＸＬのみが光学系光軸ＸＳに対し傾いている状態を、レンズチルト状態と呼ぶ。また、このときレンズ光軸ＸＬと光学系光軸ＸＳとのなす角度をレンズチルトθＬと定義する。
【０１０５】
さらに、対物レンズ１８のレンズチルトθＬが１［ｄｅｇｒｅｅ］当たりに発生する３次のコマ収差の量を、レンズチルト感度ＬＴ［ｍλｒｍｓ／ｄｅｇｒｅｅ］と定義する。また、このようなレンズチルト状態における収差特性をレンズチルト特性とも呼ぶ。
【０１０６】
因みにこのレンズチルト感度ＬＴは、温度変化等により発生した３次の球面収差をコリメータレンズ２４により補正された条件の下で計算した値となる。
【０１０７】
なお、上述した軸外状態において発生するコマ収差は、レンズチルト状態及びディスクチルト状態においてそれぞれ発生するコマ収差の和にほぼ等しくなる。
【０１０８】
［２−１−４．レンズ厚感度］
ところで対物レンズ１８は、製造誤差等により、その厚さが設計値と相違する場合がある。例えば図１２に示すように、対物レンズ１８の各レンズ面における中心同士の間隔をレンズ中心厚ｄ［ｍｍ］とすると、このレンズ中心厚ｄがｄ［ｍｍ］＋１［μｍ］になった場合、中心厚さの相違に起因する球面収差が発生する。
【０１０９】
ここで、３５［℃］においてレンズ中心厚ｄが１［μｍ］増加したときに発生する３次の球面収差の発生量を、レンズ厚感度ｚ［ｍλｒｍｓ／μｍ］と定義する。
【０１１０】
レンズ厚感度ｚについても、一般的に、その値がゼロに近いほど、レンズ厚が設計値から相違したときの球面収差量が小さくなる。従ってレンズ厚感度ｚについても、原則的にはゼロに近い値が好ましいと考えられる。
【０１１１】
［２−２．レンズチルト感度の算出式の導出］
以下、焦点距離ｆが１．４１２［ｍｍ］、波長４０５［ｎｍ］における樹脂材料の屈折率が１．５６０であり、温度に対する屈折率傾きｄｎ／ｄＴが−１．０９×１０−４である対物レンズにおいて、レンズチルト感度ＬＴの算出式を導出する過程について説明する。
【０１１２】
まず、レンズ厚感度ｚを０に固定し、５次軸外コマ収差感度ｙをそれぞれ−１０、０及び＋１０［ｍλｒｍｓ／ｄｅｇｒｅｅ］のいずれかに設定して、３次軸外コマ収差感度ｘを−２５から＋２５［ｍλｒｍｓ／ｄｅｇｒｅｅ］の範囲で変化させることにより、複数の対物レンズを設計した。
【０１１３】
これらの対物レンズについて、０［℃］におけるレンズチルト感度ＬＴをそれぞれ計算し、３次軸外コマ収差感度ｘと当該レンズチルト感度ＬＴとの関係をプロットしたところ、図１３のような分布特性が得られた。因みに図１３では、５次軸外コマ収差感度ｙをそれぞれ−１０、０及び＋１０［ｍλｒｍｓ／ｄｅｇｒｅｅ］に設定したときをそれぞれ黒三角印、黒丸印及び黒四角印により区別して表示している。
【０１１４】
図１３の分布特性から、３次軸外コマ収差感度ｘとレンズチルト感度ＬＴとの間には、５次軸外コマ収差感度ｙの値ごとにほぼ線形な依存関係があることがわかる。そこで、図１３の分布特性を基に、レンズチルト感度ＬＴを３次軸外コマ収差感度ｘ及び５次軸外コマ収差感度ｙの関数Ｆ（ｘ，ｙ）として近似すると、次の（４）式のように表すことができる。
【０１１５】
【数４】
2011100527.tif 000007
【０１１６】
次に、３次軸外コマ収差感度ｘを値０［ｍλｒｍｓ／ｄｅｇｒｅｅ］に固定し、５次軸外コマ収差感度ｙをそれぞれ−１０、０及び＋１０［ｍλｒｍｓ／ｄｅｇｒｅｅ］のいずれかに設定して、レンズ厚感度ｚを−６から＋６［ｍλｒｍｓ／μｍ］の範囲で変化させることにより、複数の対物レンズを設計した。
【０１１７】
これらの対物レンズについて、０［℃］におけるレンズチルト感度ＬＴをそれぞれ計算し、レンズ厚感度ｚと当該レンズチルト感度ＬＴとの関係をプロットしたところ、図１４のような分布特性が得られた。因みに図１４では、図１３の場合と同様に５次軸外コマ収差感度ｙをそれぞれ−１０、０及び＋１０［ｍλｒｍｓ／ｄｅｇｒｅｅ］に設定したときをそれぞれ黒三角印、黒丸印及び黒四角印により区別して表示している。
【０１１８】
図１４の分布特性から、３次軸外コマ収差感度ｘの場合と同様、レンズ厚感度ｚとレンズチルト感度ＬＴとの間にも、５次軸外コマ収差感度ｙの値ごとにほぼ線形な依存関係があることがわかる。そこで（４）式及び図１４の分布を基に、レンズチルト感度ＬＴを３次軸外コマ収差感度ｘ、５次軸外コマ収差感度ｙ及びレンズ厚感度ｚの関数Ｆ（ｘ，ｙ，ｚ）として近似すると、次の（５）式のように表すことができる。
【０１１９】
【数５】
2011100527.tif 000008
【０１２０】
この（５）式は、レンズチルト感度ＬＴが３次軸外コマ収差感度ｘ、５次軸外コマ収差感度ｙ及びレンズ厚感度ｚの組み合わせにより規定されること、並びにそれぞれの値について１次式であり線形な関係を有していることを表している。
【０１２１】
ここで、５次軸外コマ収差感度ｙを値０［ｍλｒｍｓ／ｄｅｇｒｅｅ］に固定すると共にレンズ厚感度ｚを値＋５．０又は−５．０［ｍλｒｍｓ／μｍ］に固定し、３次軸外コマ収差感度ｘを−２５から＋２５［ｍλｒｍｓ／ｄｅｇｒｅｅ］の範囲で適宜変化させることにより、複数の対物レンズを設計した。
【０１２２】
これらの対物レンズについて、０［℃］における３次軸外コマ収差感度ｘとレンズチルト感度ＬＴとの関係をプロットしたところ、図１５のような分布特性が得られた。因みに図１５では、レンズ厚感度ｚを値＋５．０及び−５．０［ｍλｒｍｓ／μｍ］に設定したときをそれぞれ白四角印及び白三角印により区別して表示している。
【０１２３】
図１５の分布特性から、レンズチルト感度ＬＴについては、（５）式により十分小さな誤差で近似できていることがわかる。
【０１２４】
このように対物レンズ１８のレンズチルト感度ＬＴについては、３次軸外コマ収差感度ｘ、５次軸外コマ収差感度ｙ及びレンズ厚感度ｚを用いた（５）式の関数Ｆ（ｘ，ｙ，ｚ）により良好に近似されることが判明した。
【０１２５】
なお、焦点距離ｆが１．３５≦ｆ≦１．４８、屈折率ｎが１．５４≦ｎ≦１．５８、屈折率傾きｄｎ／ｄＴが−１．１０×１０−４≦ｄｎ／ｄＴ≦−１．００×１０−４の各範囲にある対物レンズにおいても、そのレンズチルト感度ＬＴは、上記（５）式により十分小さな誤差で近似できる。
【０１２６】
［２−３．スキューマージン］
ところで光ディスク装置１０では、理想的な状態（設計状態、図８）として、光ビームＬのビーム光軸ＸＢが光ディスク１００のディスク光軸ＸＤに対して傾くことなく、当該光ビームＬが当該光ディスク１００に照射されることが想定されている。
【０１２７】
しかしながら実際の光ディスク装置１０では、光学系光軸ＸＳと光ディスク１００のディスク光軸ＸＤとの間にある程度の角度（いわゆるスキュー、これをチルトとも呼ぶ）が生じてしまう。
【０１２８】
そこでＢＤ方式では、互換性確保等の観点から、規格（Blu-ray Disc Format White paper）により、スキューマージン、すなわち光学系光軸ＸＳに対する光ディスク１００のディスク光軸ＸＤの倒れ角の許容値を０．７５［ｄｅｇｒｅｅ］と規定している。すなわちＢＤ方式におけるスキューマージンはディスクチルト換算で０．７５［ｄｅｇｒｅｅ］と規定されている。
【０１２９】
ここで光ディスク装置１０におけるスキューの発生要因を分類すると、光ディスク１００に起因する「ディスク要因」、光ピックアップ１７に起因する「ピックアップ要因」、及びそれ以外の「調整制御取れ残り要因」に大別することができる。
【０１３０】
光ディスク装置１０では、スキューの発生要因毎に許容値を定めることにより、各発生要因によるスキューが重なった場合にも、全体的なスキューの許容値をディスクチルト換算で０．７５［ｄｅｇｒｅｅ］以下に収めるようになされている。
【０１３１】
以降、これら３つに大別された各項目について、順にその内容を説明する。
【０１３２】
まず一つ目の項目であるディスク要因は、光ディスク１００の反りや変形等のような、光ディスク１００そのものに起因するものである。
【０１３３】
光ディスク装置１０では、ディスク要因のスキューについて、Blu-ray Disc Read-Only Format内、under the “sudden change” test conditionsにおいてその許容値を０．４［ｄｅｇｒｅｅ］としている。
【０１３４】
二つ目の項目であるピックアップ要因には、さらに複数の要因が含まれている。ここでは、その典型例でありかつ本発明において着目したレンズチルト感度に直接的に関連する項目である「Ｄ−ｓｋｅｗ要因」について、特別に枠を設けて説明する。
【０１３５】
光ディスク装置１０では、光ピックアップ１７において対物レンズ１８をフォーカス方向に移動させる際、当該対物レンズ１８を揺動自在に支持する支持ワイヤ（図示せず）等の構造上、当該対物レンズ１８を平行移動できずに傾かせてしまう場合がある。このような対物レンズ１８の傾き角度は、Ｄ−ｓｋｅｗと呼ばれているが、その値は、電気的並びに機械的な誤差要因により規定され、最も典型的なものとしては、０．１０［ｄｅｇｒｅｅ］と決められている。
【０１３６】
ここで、ディスクチルト換算値として規定されたスキューマージンを検討するためには、同等のコマ収差を発生させるディスクチルト角度に換算する必要があるが、レンズチルト感度の値を定めた場合、これに所定の換算処理を施すことにより、換算後のディスクチルト角度を得ることができる。
【０１３７】
例えばレンズチルト感度の値を１３０［ｍλｒｍｓ／ｄｅｇｒｅｅ］と設定した場合、ディスクチルト角度に換算したＤ−ｓｋｅｗ要因は約０．１０［ｄｅｇｒｅｅ］となる。
【０１３８】
また、ピックアップ要因のうちＤ−ｓｋｅｗ要因以外の項目について「その他要因」としてまとめると、それらの値は０．２９［ｄｅｇｒｅｅ］と規定される。なお、ここに含めた複数の要因のうちには、レンズチルト感度に依存する項目も存在する。
【０１３９】
また最後の「調整制御取れ残り要因」は、光ディスク装置１０の組立調整工程における調整残りや光ピックアップ１７の制御における制御取れ残り等に起因するものであり、典型的な値として、０．１５［ｄｅｇｒｅｅ］と定められている。
【０１４０】
以上、表２に示した設計条件Ｃ１の下で、各発生要因ごとのディスクチルト角度の許容値をまとめて示したものが表３の設計条件Ｃ１である。
【０１４１】
【表２】
2011100527.tif 000009
【０１４２】
【表３】
2011100527.tif 000010
【０１４３】
この光ディスク装置１０に起因するスキュー、すなわちピックアップ要因及び調整制御取れ残り要因に属する各種要因のスキューは、当該光ディスク装置１０内で多くの要素が互いに独立にばらつくため、その全てが同時に最大値をとる可能性が極めて低い。
【０１４４】
そこでピックアップ要因及び調整制御取れ残り要因に属する各種要因のスキューについては、統計的な手法に従い、各許容値の２乗値を加算し平方根をとった値を光ディスク装置１０に起因するスキューの許容値として取り扱うものとしている。
【０１４５】
これらの取り扱いにより、表３の設計条件Ｃ１においては、スキューマージンの許容値である０．７５［ｄｅｇｒｅｅ］にちょうど収まることになる。このことを逆に言うと、Ｄ−ｓｋｅｗ許容量を０．１０［ｄｅｇｒｅｅ］と規定する場合においては、対物レンズ１８のレンズチルト感度を１３０［ｍλｒｍｓ／ｄｅｇｒｅｅ］以下に設計しておけば、スキューマージンを確保できることを示している。
【０１４６】
ここで、対物レンズ１８の０［℃］におけるレンズチルト感度ＬＴは、（５）式に示したように、３５［℃］における３次軸外コマ収差感度ｘ、５次軸外コマ収差感度ｙ及びレンズ厚感度ｚを変数とする関数Ｆ（ｘ，ｙ，ｚ）により、良好に近似することができる。
【０１４７】
すなわち対物レンズ１８のＤ−ｓｋｅｗの値を０．１０［ｄｅｇｒｅｅ］に設定する場合には、次の（６）式を満たすよう３次軸外コマ収差感度ｘ、５次軸外コマ収差感度ｙ及びレンズ厚感度ｚを組み合わせることにより、総合的なスキューを許容範囲である０．７５［ｄｅｇｒｅｅ］以下に収めることができる。
【０１４８】
【数６】
2011100527.tif 000011
【０１４９】
ところで、Ｄ−ｓｋｅｗ要因の許容値として、設計条件Ｃ１ではその典型的な値として０．１０［ｄｅｇｒｅｅ］を規定した。ここでＤ−ｓｋｅｗ要因の値を０．１０［ｄｅｇｒｅｅ］よりも緩和することは、支持ワイヤ機構（アクチュエーター）の不良判定率を下げることを意味しており、コスト削減に大きく寄与するものと考えられる。
【０１５０】
表２における設計条件Ｃ２及びＣ３は、そのような将来的なコスト削減要求を見越し、Ｄ−ｓｋｅｗ許容値を０．１５［ｄｅｇｒｅｅ］及び０．２０［ｄｅｇｒｅｅ］まで、それぞれ緩和する場合について検討したものである。
【０１５１】
この場合、それぞれの発生要因ごとの値は表３における設計条件Ｃ２及びＣ３のようになり、これらの値について前述のような統計的処理を施すと、これらの設計条件においてもスキューマージンの許容値である０．７５［ｄｅｇｒｅｅ］にちょうど収められていることが分かる。
【０１５２】
このことを逆に言うと、Ｄ−ｓｋｅｗ許容量を０．１５［ｄｅｇｒｅｅ］と規定する場合においては、対物レンズ１８のレンズチルト感度を１１５［ｍλｒｍｓ／ｄｅｇｒｅｅ］以下に設計しておけば、スキューマージンを確保できることを示している。同じくＤ−ｓｋｅｗ許容量を０．２０［ｄｅｇｒｅｅ］と規定する場合においては、対物レンズのレンズチルト感度を１００［ｍλｒｍｓ／ｄｅｇｒｅｅ］以下に設計しておけば、スキューマージンを確保できることを示している。
【０１５３】
また対物レンズ１８の０［℃］におけるレンズチルト感度ＬＴは、設計条件Ｃ２及びＣ３の場合にも上記（５）式によって表される関数Ｆ（ｘ，ｙ，ｚ）により同様に求められる。
【０１５４】
すなわち、対物レンズ１８のＤ−ｓｋｅｗの値を０．１５［ｄｅｇｒｅｅ］に設定する場合には、次の（７）式を満たすよう３次軸外コマ収差感度ｘ、５次軸外コマ収差感度ｙ及びレンズ厚感度ｚを組み合わせることにより、総合的なスキューを許容範囲である０．７５［ｄｅｇｒｅｅ］以下に収めることができる。
【０１５５】
【数７】
2011100527.tif 000012
【０１５６】
また同様に、対物レンズ１８のＤ−ｓｋｅｗの値を０．２０［ｄｅｇｒｅｅ］に設定する場合には、次の（８）式を満たすよう３次軸外コマ収差感度ｘ、５次軸外コマ収差感度ｙ及びレンズ厚感度ｚを組み合わせることにより、総合的なスキューを許容範囲である０．７５［ｄｅｇｒｅｅ］以下に収めることができる。
【０１５７】
【数８】
2011100527.tif 000013
【０１５８】
ところで、一般に光ディスク装置１０では、光ピックアップ１７に組み付けたレーザダイオード２１の光軸が設計上の光軸（すなわち光学系光軸ＸＳ）から傾いたときに発生するコマ収差の許容範囲として、例えば０．２［ｄｅｇｒｅｅ］傾いたときに発生する３次及び５次のコマ収差を５［ｍλｒｍｓ］以下に収めるよう設計する。
【０１５９】
一方、３次軸外コマ収差感度ｘ及び５次軸外コマ収差感度ｙは、上述したように、それぞれ入射角度θＢが１［ｄｅｇｒｅｅ］のときに発生する３次及び５次のコマ収差の発生量である。従って、３次軸外コマ収差感度ｘ及び５次軸外コマ収差感度ｙについては、それぞれ次の（９）式及び（１０）式に示す範囲に収まることが望ましい。
【０１６０】
【数９】
2011100527.tif 000014
【数１０】
2011100527.tif 000015
【０１６１】
また、レンズ厚感度ｚについては、製造時の各種測定に大きな影響を与えない範囲として、次の（１１）式の範囲に収まることが望ましい。
【０１６２】
【数１１】
2011100527.tif 000016
【０１６３】
さらに、光ピックアップ１７に組み付けたレーザダイオード２１の光軸が設計上の光軸（光学系光軸ＸＳ）から０．２［ｄｅｇｒｅｅ］傾いたときに発生する３次及び５次のコマ収差については、より小さな値、すなわち３［ｍλｒｍｓ］以下に抑えるよう設計することも考えられる。
【０１６４】
このことは、３次軸外コマ収差感度ｘ及び５次軸外コマ収差感度ｙについて、それぞれ次の（１２）式及び（１３）式に示す範囲に収めることを意味する。
【０１６５】
【数１２】
2011100527.tif 000017
【数１３】
2011100527.tif 000018
【０１６６】
これに応じてレンズ厚感度ｚについても、（１１）式の範囲よりも制限をかけることにより、次の（１４）式の範囲に収めることが望ましい。
【０１６７】
【数１４】
2011100527.tif 000019
【０１６８】
このように対物レンズ１８については、（６）式、（７）式又は（８）式を満たすよう３次軸外コマ収差感度ｘ、５次軸外コマ収差感度ｙ及びレンズ厚感度ｚをそれぞれ選定することにより、０［℃］におけるレンズチルト感度ＬＴを許容値１３０、１１５又は１００［ｍλｒｍｓ／ｄｅｇｒｅｅ］以下に収め得ることが判明した。
【０１６９】
これにより光ディスク装置１０は、Ｄ−ｓｋｅｗを０．１０、０．１５又は０．２０［ｄｅｇｒｅｅ］以下に収めることで、スキューマージンを規定値以下に抑えることができる。
【０１７０】
ところで（６）式を変形することにより、次の（１５）式に示すように、レンズ厚感度ｚを３次軸外コマ収差感度ｘ及び５次軸外コマ収差感度ｙの関数として表すことができる。
【０１７１】
【数１５】
2011100527.tif 000020
【０１７２】
また（７）式を変形することによっても、次の（１６）式に示すように、レンズ厚感度ｚを３次軸外コマ収差感度ｘ及び５次軸外コマ収差感度ｙの関数として表すことができる。
【０１７３】
【数１６】
2011100527.tif 000021
【０１７４】
すなわち３次軸外コマ収差感度ｘ、５次軸外コマ収差感度ｙ及びレンズ厚感度ｚは、実質的に（１５）式又は（１６）式を満たす範囲に限定されることになる。
【０１７５】
ここで、（１５）式及び（１６）式において５次軸外コマ収差感度ｙの値を固定したときの３次軸外コマ収差感度ｘとレンズ厚感度ｚとの関係は、図１６に示すように、５次軸外コマ収差感度ｙの値ごとの直線として表すことができる。
【０１７６】
図１６では、直線Ｎ１３０，０がＦ（ｘ，ｙ，ｚ）＝１３０且つ５次軸外コマ収差感度ｙ＝０とした場合を示し、このとき関数Ｆ（ｘ，ｙ，ｚ）≦１３０を満たすような３次軸外コマ収差感度ｘ及びレンズ厚感度ｚの組み合わせの範囲を網掛けにより示している。
【０１７７】
また図１６では、直線Ｎ１３０，＋２５がＦ（ｘ，ｙ，ｚ）＝１３０且つｙ＝＋２５とした場合を示し、直線Ｎ１３０，−２５がＦ（ｘ，ｙ，ｚ）＝１３０且つｙ＝−２５とした場合を示し、直線Ｎ１１５，０がＦ（ｘ，ｙ，ｚ）＝１１５且つｙ＝０とした場合を示している。
【０１７８】
さらに図１６では、後述する第１数値実施例〜第５数値実施例による対物レンズＳＥ１〜ＳＥ５における３次軸外コマ収差感度ｘ及びレンズ厚感度ｚに基づき、算出点ＲＥ１〜ＲＥ５を黒丸印によりプロットした。
【０１７９】
詳しくは後述するが、対物レンズＳＥ１〜ＳＥ５はいずれも（６）式を満たすよう設計した。このため算出点ＲＥ１〜ＲＥ５は、おおむね図中の網掛けした範囲内又はその近傍に分布していることが分かる。
【０１８０】
また図１６では、上述した従来の対物レンズＳＰ１及びＳＰ２における３次軸外コマ収差感度ｘ及びレンズ厚感度ｚに基づき、算出点ＲＰ１及びＲＰ２を黒三角印によりプロットした。
【０１８１】
上述したように従来の対物レンズＳＰ１及びＳＰ２は３次軸外コマ収差感度ｘ、５次軸外コマ収差感度ｙ及びレンズ厚感度ｚをそれぞれ０に近い値とするよう設計した。このため算出点ＲＰ１及びＲＰ２は、原点付近に分布しており、網掛けした範囲から外れている。
【０１８２】
すなわち図１６から、各収差感度をそれぞれ単純に０に近づけるよう設計したとしても、対物レンズの０［℃］におけるレンズチルト感度ＬＴを１３０［ｍλｒｍｓ／ｄｅｇｒｅｅ］以下に抑えることができないことを、視覚的に捉えることができる。
【０１８３】
さらに参考例として、関数Ｆ（ｘ，ｙ，ｚ）＞１３０となり（６）式を満たさないような３次軸外コマ収差感度ｘ、５次軸外コマ収差感度ｙ及びレンズ厚感度ｚの組み合わせによる対物レンズＳＲ１〜ＳＲ９を設計した。この対物レンズＳＲ１〜ＳＲ９の諸元値は、以下の表４〜表６に示すような値となった。
【０１８４】
【表４】
2011100527.tif 000022
【０１８５】
【表５】
2011100527.tif 000023
【０１８６】
【表６】
2011100527.tif 000024
【０１８７】
また、対物レンズＳＲ１〜ＳＲ９の３次軸外コマ収差感度ｘ及びレンズ厚感度ｚに基づき、算出点ＲＲ１〜ＲＲ９を黒四角印により図１６にプロットした。
【０１８８】
すなわち図１６の算出点ＲＲ１〜ＲＲ９から、３次軸外コマ収差感度ｘ、５次軸外コマ収差感度ｙ及びレンズ厚感度ｚが（６）式を満たさない場合にはおおむね網掛けした範囲から外れることを視覚的に捉えることができる。
【０１８９】
［２−４．サグ量によるレンズチルト感度の規定］
ところで図１７に示すように、光ピックアップ１７の対物レンズ１８については、光源側光学面の面頂点１８ＡＣから半径１．２０［ｍｍ］の箇所における、当該面頂点１８ＡＣを通る平面からの光軸方向の長さを３５［℃］における光源側サグ量ｗと呼ぶ。
【０１９０】
ここで、３次軸外コマ収差感度ｘ、５次軸外コマ収差感度ｙ、レンズ厚感度ｚ及び光源側サグ量ｗを様々に変化させることにより、複数の対物レンズを設計した。
【０１９１】
具体的には、５次軸外コマ収差感度ｙ及びレンズ厚感度ｚの組み合わせを（０，０）、（１０，０）又は（−１０，０）に固定し３次軸外コマ収差感度ｘを適宜変化させて種々の対物レンズを設計した。また、３次軸外コマ収差感度ｘ及び５次軸外コマ収差感度ｙの組み合わせを（０，０）、（０，１０）又は（０，−１０）に固定しレンズ厚感度ｚを適宜変化させて種々の対物レンズを設計した。
【０１９２】
このように設計した対物レンズについて、レンズ厚感度ｚと光源側サグ量ｗとの関係について整理したところ、図１８に示すような分布特性が得られた。
【０１９３】
因みに図１８では、レンズ厚感度ｚを値０［ｍλｒｍｓ／μｍ］付近に固定し、３次軸外コマ収差感度ｘの範囲を−２０［ｍλｒｍｓ／ｄｅｇｒｅｅ］から２０［ｍλｒｍｓ／ｄｅｇｒｅｅ］の範囲にふり、且つ５次軸外コマ収差感度ｙをそれぞれ０、１０及び−１０［ｍλｒｍｓ／ｄｅｇｒｅｅ］に設定したときをそれぞれ黒丸印、黒四角印及び黒三角印により区別して表示している。また図１８では、３次軸外コマ収差感度ｘを値０［ｍλｒｍｓ／ｄｅｇｒｅｅ］付近に固定し、５次軸外コマ収差感度ｙをそれぞれ０、１０及び−１０［ｍλｒｍｓ／ｄｅｇｒｅｅ］に設定したときをそれぞれ白丸印、白四角印及び白三角印により区別して表示している。
【０１９４】
この図１８の分布特性から、レンズ厚感度ｚは、次の（１７）式に示すように３次軸外コマ収差感度ｘ、５次軸外コマ収差感度ｙ及び光源側サグ量ｗの関数Ｇ（ｘ，ｙ，ｗ）として表すことができる。
【０１９５】
【数１７】
2011100527.tif 000025
【０１９６】
この（１７）式を用いることにより、（５）式により示した０［℃］におけるレンズチルト感度ＬＴは、次の（１８）式のように関数Ｆ（ｘ，ｙ，ｗ）として表すことができる。
【０１９７】
【数１８】
2011100527.tif 000026
【０１９８】
また、（１８）式の関数Ｆ（ｘ，ｙ，ｗ）についても、（６）式、（７）式及び（８）式と同様、レンズチルト感度ＬＴの許容値１３０、１１５又は１００［ｍλｒｍｓ／ｄｅｇｒｅｅ］とすることにより、次の（１９）式、（２０）式及び（２１）式のように表すことができる。
【０１９９】
【数１９】
2011100527.tif 000027
【数２０】
2011100527.tif 000028
【数２１】
2011100527.tif 000029
【０２００】
さらに、（９）〜（１１）式に示した３次軸外コマ収差感度ｘ、５次軸外コマ収差感度ｙ及びレンズ厚感度ｚの範囲並びに（１７）式により、光源側サグ量ｗの望ましい範囲として次の（２２）式のように規定することもできる。
【０２０１】
【数２２】
2011100527.tif 000030
【０２０２】
因みに光源側サグ量ｗの最小値については、レンズ厚感度ｚの最小値、３次軸外コマ収差感度ｘの最小値及び５次軸外コマ収差感度ｙの最大値をそれぞれ代入することにより求められる。また光源側サグ量ｗの最大値については、レンズ厚感度ｚの最大値、３次軸外コマ収差感度ｘの最大値及び５次軸外コマ収差感度ｙの最小値をそれぞれ代入することにより求められる。
【０２０３】
このように対物レンズ１８については、３次軸外コマ収差感度ｘ及び５次軸外コマ収差感度ｙに加え、レンズ厚感度ｚに代えて光源側サグ量ｗを用いた（１９）式、（２０）式又は（２１）式を満たすことにより、０［℃］におけるレンズチルト感度ＬＴを許容値１３０、１１５又は１００［ｍλｒｍｓ／ｄｅｇｒｅｅ］以下に収めることができる。
【０２０４】
＜３．数値実施例＞
以下では、上述した（６）式又は（７）式若しくは（１９）式又は（２０）式を満たすよう３次軸外コマ収差感度ｘ、５次軸外コマ収差感度ｙ及びレンズ厚感度ｚ並びに光源側サグ量ｗをそれぞれ変化させることにより、数値実施例として対物レンズＳＥ１〜ＳＥ５をそれぞれ設計した。
【０２０５】
因みに対物レンズＳＥ１〜ＳＥ５については、焦点距離ｆを１．４１２［ｍｍ］、樹脂材料の屈折率ｎを１．５６０とし、波長４０５［ｎｍ］の光ビームＬが平行光として入射され、開口数（ＮＡ）が０．８５の単玉対物レンズとして設計した。また対物レンズＳＥ１〜ＳＥ５は、温度屈折率傾きｄｎ／ｄＴを−１．０９×１０−４とした。さらに光ディスク１００におけるカバー層については、厚さを０．０８７５［ｍｍ］、屈折率を１．６２とした。
【０２０６】
［３−１．第１数値実施例］
第１数値実施例における対物レンズＳＥ１は、表７に諸元値を示すように、３次軸外コマ収差感度ｘを１０．１［ｍλｒｍｓ／ｄｅｇｒｅｅ］、５次軸外コマ収差感度ｙを３１．１［ｍλｒｍｓ／ｄｅｇｒｅｅ］、レンズ厚感度ｚを−０．５［ｍλｒｍｓ／μｍ］、光源側サグ量ｗを１．０３０［ｍｍ］として設計した。
【０２０７】
【表７】
2011100527.tif 000031
【０２０８】
対物レンズＳＥ１の各面形状は、（１）式に示した距離ＡＳＰ（Ｒ）に表７の各係数（非球面係数）を適用して表される非球面となった。また対物レンズＳＥ１については、図１９の縦収差図に示すような光学特性が得られた。
【０２０９】
対物レンズＳＥ１の０［℃］におけるレンズチルト感度ＬＴの値は、１２７．３１［ｍλｒｍｓ／ｄｅｇｒｅｅ］であり、許容値１３０［ｍλｒｍｓ／ｄｅｇｒｅｅ］以下となった。
【０２１０】
また関数Ｆ（ｘ，ｙ，ｚ）及び関数Ｆ（ｘ，ｙ，ｗ）により算出される値は、それぞれ１２４．４８及び値１２５．３３［ｍλｒｍｓ／ｄｅｇｒｅｅ］であり、いずれも０［℃］におけるレンズチルト感度の値を良好に近似できていることがわかる。
【０２１１】
このことは、対物レンズＳＥ１を搭載した光ディスク装置１０において、０［℃］におけるレンズチルト感度ＬＴを１３０［ｍλｒｍｓ／ｄｅｇｒｅｅ］以下に抑えることができ、Ｄ−ｓｋｅｗを表２の設計条件Ｃ１に示した許容値０．１０［ｄｅｇｒｅｅ］以下とすればスキューマージンを確保できることを表している。
【０２１２】
この結果対物レンズＳＥ１は、０〜７０［℃］のいずれの温度においても、コマ収差の発生量を十分小さく抑えることができる。これに伴い対物レンズＳＥ１を搭載した光ディスク装置１０は、０［℃］のような低温であっても、光ビームＬを光ディスク１００における所望の箇所に適切に集光できるので、確実に情報を記録しまた再生することができる。
【０２１３】
［３−２．第２数値実施例］
第２数値実施例における対物レンズＳＥ２は、表８に諸元値を示すように、３次軸外コマ収差感度ｘを１９．０［ｍλｒｍｓ／ｄｅｇｒｅｅ］、５次軸外コマ収差感度ｙを０．６［ｍλｒｍｓ／ｄｅｇｒｅｅ］、レンズ厚感度ｚを−０．２［ｍλｒｍｓ／μｍ］、光源側サグ量ｗを１．０４５［ｍｍ］として設計した。
【０２１４】
【表８】
2011100527.tif 000032
【０２１５】
対物レンズＳＥ２の各面形状は、（１）式に示した距離ＡＳＰ（Ｒ）に表８の各係数（非球面係数）を適用して表される非球面となった。また対物レンズＳＥ２については、図２０の縦収差図に示すような光学特性が得られた。
【０２１６】
対物レンズＳＥ２の０［℃］におけるレンズチルト感度ＬＴの値は、１２３．３１［ｍλｒｍｓ／ｄｅｇｒｅｅ］であり、許容値１３０［ｍλｒｍｓ／ｄｅｇｒｅｅ］以下となった。
【０２１７】
また関数Ｆ（ｘ，ｙ，ｚ）及び関数Ｆ（ｘ，ｙ，ｗ）により算出される値は、それぞれ値１２３．６８及び値１２３．９４［ｍλｒｍｓ／ｄｅｇｒｅｅ］であり、いずれも０［℃］におけるレンズチルト感度の値を良好に近似できていることがわかる。
【０２１８】
このことは、対物レンズＳＥ２を搭載した光ディスク装置１０において、０［℃］におけるレンズチルト感度ＬＴを１３０［ｍλｒｍｓ／ｄｅｇｒｅｅ］以下に抑えることができ、Ｄ−ｓｋｅｗを表２の設計条件Ｃ１に示した許容値０．１０［ｄｅｇｒｅｅ］以下とすればスキューマージンを確保できることを表している。
【０２１９】
また対物レンズＳＥ２は、３次軸外コマ収差感度ｘ、５次軸外コマ収差感度ｙ及びレンズ厚感度ｚがそれぞれ（９）式、（１０）式及び（１１）式を満たす。
【０２２０】
この結果対物レンズＳＥ２は、０〜７０［℃］のいずれの温度においても、コマ収差の発生量を十分小さく抑えることができる。これに伴い対物レンズＳＥ２を搭載した光ディスク装置１０は、０［℃］のような低温であっても、光ビームＬを光ディスク１００における所望の箇所に適切に集光できるので、確実に情報を記録しまた再生することができる。
【０２２１】
［３−３．第３数値実施例］
第３数値実施例における対物レンズＳＥ３は、表９に諸元値を示すように、３次軸外コマ収差感度ｘを２４．３［ｍλｒｍｓ／ｄｅｇｒｅｅ］、５次軸外コマ収差感度ｙを０．４［ｍλｒｍｓ／ｄｅｇｒｅｅ］、レンズ厚感度ｚを−５．５［ｍλｒｍｓ／μｍ］、光源側サグ量ｗを１．０１０［ｍｍ］として設計した。
【０２２２】
【表９】
2011100527.tif 000033
【０２２３】
対物レンズＳＥ３の各面形状は、（１）式に示した距離ＡＳＰ（Ｒ）に表９の各係数（非球面係数）を適用して表される非球面となった。また対物レンズＳＥ３については、図２１の縦収差図に示すような光学特性が得られた。
【０２２４】
対物レンズＳＥ３の０［℃］におけるレンズチルト感度ＬＴの値は、１１２．９６［ｍλｒｍｓ／ｄｅｇｒｅｅ］であり、許容値１１５［ｍλｒｍｓ／ｄｅｇｒｅｅ］以下となった。
【０２２５】
また関数Ｆ（ｘ，ｙ，ｚ）及び関数Ｆ（ｘ，ｙ，ｗ）により算出される値は、それぞれ値１１２．６７及び値１１２．９０［ｍλｒｍｓ／ｄｅｇｒｅｅ］であり、いずれも０［℃］におけるレンズチルト感度の値を良好に近似できていることがわかる。
【０２２６】
このことは、対物レンズＳＥ３を搭載した光ディスク装置１０において、０［℃］におけるレンズチルト感度ＬＴを１１５［ｍλｒｍｓ／ｄｅｇｒｅｅ］以下に抑えることができ、Ｄ−ｓｋｅｗの上限許容値を表２の設計条件Ｃ２に示した値０．１５［ｄｅｇｒｅｅ］まで拡大しても、スキューマージンを確保できることを表している。
【０２２７】
すなわち対物レンズＳＥ３は、従来の常識にとらわれることなく、３次軸外コマ収差感度ｘを意図的に０から離れた２４．３［ｍλｒｍｓ／ｄｅｇｒｅｅ］としたことで、０［℃］におけるレンズチルト感度ＬＴを１１５［ｍλｒｍｓ／ｄｅｇｒｅｅ］以下という小さな値に収めることが可能となっている。
【０２２８】
また対物レンズＳＥ３は、３次軸外コマ収差感度ｘ、５次軸外コマ収差感度ｙ及びレンズ厚感度ｚがそれぞれ（９）式、（１０）式及び（１１）式を満たす。
【０２２９】
この結果対物レンズＳＥ３は、０〜７０［℃］のいずれの温度においても、コマ収差の発生量を十分小さく抑えることができる。これに伴い対物レンズＳＥ３を搭載した光ディスク装置１０は、０［℃］のような低温であっても、光ビームＬを光ディスク１００における所望の箇所に適切に集光できるので、確実に情報を記録しまた再生することができる。
【０２３０】
［３−４．第４数値実施例］
第４数値実施例における対物レンズＳＥ４は、表１０に諸元値を示すように、３次軸外コマ収差感度ｘを１８．５［ｍλｒｍｓ／ｄｅｇｒｅｅ］、５次軸外コマ収差感度ｙを−０．４［ｍλｒｍｓ／ｄｅｇｒｅｅ］、レンズ厚感度ｚを−１９．０［ｍλｒｍｓ／μｍ］、光源側サグ量ｗを０．９２２［ｍｍ］として設計した。
【０２３１】
【表１０】
2011100527.tif 000034
【０２３２】
対物レンズＳＥ４の各面形状は、（１）式に示した距離ＡＳＰ（Ｒ）に表１０の各係数（非球面係数）を適用して表される非球面となった。また対物レンズＳＥ４については、図２２の縦収差図に示すような光学特性が得られた。
【０２３３】
対物レンズＳＥ４の０［℃］におけるレンズチルト感度ＬＴの値は、１１５．１０［ｍλｒｍｓ／ｄｅｇｒｅｅ］であり、許容値１３０［ｍλｒｍｓ／ｄｅｇｒｅｅ］以下となり、且つ許容値１１５［ｍλｒｍｓ／ｄｅｇｒｅｅ］に迫る値となった。
【０２３４】
また関数Ｆ（ｘ，ｙ，ｚ）及び関数Ｆ（ｘ，ｙ，ｗ）により算出される値は、それぞれ値１０５．２０及び値１０６．３０［ｍλｒｍｓ／ｄｅｇｒｅｅ］であり、ある程度の誤差を生じているものの、０［℃］におけるレンズチルト感度の値を比較的良好に近似できていることがわかる。
【０２３５】
このことは、対物レンズＳＥ４を搭載した光ディスク装置１０において、０［℃］におけるレンズチルト感度ＬＴを１３０［ｍλｒｍｓ／ｄｅｇｒｅｅ］以下に抑えることができ、Ｄ−ｓｋｅｗを表２の設計条件Ｃ１に示した許容値０．１０［ｄｅｇｒｅｅ］以下とすればスキューマージンを確保できることを表している。
【０２３６】
すなわち対物レンズＳＥ４は、３次軸外コマ収差感度ｘを０から離れた１８．５［ｍλｒｍｓ／ｄｅｇｒｅｅ］とし、且つレンズ厚感度ｚも０から離れた−１９．０［ｍλｒｍｓ／μｍ］としたことで、０［℃］におけるレンズチルト感度ＬＴを１１５［ｍλｒｍｓ／ｄｅｇｒｅｅ］に迫るような小さな値に収めることが可能となっている。
【０２３７】
また対物レンズＳＥ４は、３次軸外コマ収差感度ｘ、５次軸外コマ収差感度ｙ及びレンズ厚感度ｚがそれぞれ（９）式、（１０）式及び（１１）式を満たす。
【０２３８】
この結果対物レンズＳＥ４は、０〜７０［℃］のいずれの温度においても、コマ収差の発生量を十分小さく抑えることができる。これに伴い対物レンズＳＥ４を搭載した光ディスク装置１０は、０［℃］のような低温であっても、光ビームＬを光ディスク１００における所望の箇所に適切に集光できるので、確実に情報を記録しまた再生することができる。
【０２３９】
［３−５．第５数値実施例］
第５数値実施例における対物レンズＳＥ５は、表１１に諸元値を示すように、３次軸外コマ収差感度ｘを１．５［ｍλｒｍｓ／ｄｅｇｒｅｅ］、５次軸外コマ収差感度ｙを６．９［ｍλｒｍｓ／ｄｅｇｒｅｅ］、レンズ厚感度ｚを−１８．８［ｍλｒｍｓ／μｍ］、光源側サグ量ｗを０．９１７［ｍｍ］として設計した。
【０２４０】
【表１１】
2011100527.tif 000035
【０２４１】
対物レンズＳＥ５の各面形状は、（１）式に示した距離ＡＳＰ（Ｒ）に表１１の各係数（非球面係数）を適用して表される非球面となった。また対物レンズＳＥ５については、図２３の縦収差図に示すような光学特性が得られた。
【０２４２】
対物レンズＳＥ５の０［℃］におけるレンズチルト感度ＬＴの値は、１２７．３４［ｍλｒｍｓ／ｄｅｇｒｅｅ］であり、許容値１３０［ｍλｒｍｓ／ｄｅｇｒｅｅ］以下となった。
【０２４３】
また関数Ｆ（ｘ，ｙ，ｚ）及び関数Ｆ（ｘ，ｙ，ｗ）により算出される値は、それぞれ値１２１．２０及び値１２２．４１［ｍλｒｍｓ／ｄｅｇｒｅｅ］であり、ある程度の誤差を含むものの、０［℃］におけるレンズチルト感度の値を比較的良好に近似できており、許容値１３０［ｍλｒｍｓ／ｄｅｇｒｅｅ］以下となっている。
【０２４４】
このことは、対物レンズＳＥ５を搭載した光ディスク装置１０において、０［℃］におけるレンズチルト感度ＬＴをほぼ１３０［ｍλｒｍｓ／ｄｅｇｒｅｅ］程度に抑えることができ、実質的にＤ−ｓｋｅｗを表２の設計条件Ｃ１に示した許容値０．１０［ｄｅｇｒｅｅ］以下とすればスキューマージンを確保できることを表している。
【０２４５】
すなわち対物レンズＳＥ５は、意図的にレンズ厚感度ｚを０から離れた−１８．８［ｍλｒｍｓ／μｍ］としたことで、０［℃］におけるレンズチルト感度ＬＴを１３０［ｍλｒｍｓ／ｄｅｇｒｅｅ］以下に収めることが可能となっている。
【０２４６】
また対物レンズＳＥ５は、３次軸外コマ収差感度ｘ、５次軸外コマ収差感度ｙ及びレンズ厚感度ｚがそれぞれ（９）式、（１０）式及び（１１）式を満たす。
【０２４７】
この結果対物レンズＳＥ５は、０〜７０［℃］のいずれの温度においても、コマ収差の発生量を十分小さく抑えることができる。これに伴い対物レンズ４５を搭載した光ディスク装置１０は、０［℃］のような低温であっても、光ビームＬを光ディスク１００における所望の箇所に適切に集光できるので、確実に情報を記録しまた再生することができる。
【０２４８】
＜４．動作及び効果＞
以上の構成において、光ディスク装置１０の光ピックアップ１７に搭載される対物レンズ１８に関し、０［℃］におけるレンズチルト感度ＬＴを３５［℃］における３次軸外コマ収差感度ｘ、５次軸外コマ収差感度ｙ及びレンズ厚感度ｚによる関数Ｆ（ｘ，ｙ，ｚ）に近似した。
【０２４９】
また対物レンズ１８については、３５［℃］における３次軸外コマ収差感度ｘ、５次軸外コマ収差感度ｙ及びレンズ厚感度ｚをこの関数Ｆ（ｘ，ｙ，ｚ）に代入した際に許容値１３０［ｍλｒｍｓ／ｄｅｇｒｅｅ］以下となるよう設計した。
【０２５０】
これにより対物レンズ１８を搭載した光ディスク装置１０は、０［℃］におけるレンズチルト感度ＬＴを１３０［ｍλｒｍｓ／ｄｅｇｒｅｅ］以下にすることができ、Ｄ−ｓｋｅｗを表３の設計条件Ｃ１に示した許容値０．１０［ｄｅｇｒｅｅ］以下としたとき、低温０［℃］においてスキューマージンを確保することができる。
【０２５１】
すなわち光ディスク装置１０は、その動作温度範囲内において、ディスクチルト換算での総合的なスキューマージンを許容値０．７５［ｄｅｇｒｅｅ］以下に抑えることができ、コマ収差の発生量を極めて小さく抑えることができる。この結果、光ディスク装置１０は、光ディスク１００に対する記録再生精度の低下を未然に防止することができる。
【０２５２】
特に０［℃］におけるレンズチルト感度ＬＴを表す関数Ｆ（ｘ，ｙ，ｚ）については、（５）式に示したように３５［℃］における３次軸外コマ収差感度ｘ、５次軸外コマ収差感度ｙ及びレンズ厚感度ｚそれぞれの１次項の和に近似した。このため対物レンズ１８の設計においては、レンズチルト感度ＬＴを所望の許容値（例えば１３０［ｍλｒｍｓ／ｄｅｇｒｅｅ］）以下に抑える際、３次軸外コマ収差感度ｘ、５次軸外コマ収差感度ｙ及びレンズ厚感度ｚの値をそれぞれ互いに独立した変数として扱うことができる。
【０２５３】
光ディスク装置１０の光ピックアップ１７では、その前提として、対物レンズ１８のチルト角を調整せず精度により保証する方式を採用した場合には、チルト感度を極力小さく抑えたい、という要望がある。そこで樹脂材料からなる対物レンズ１８については、０［℃］のような低温では３５［℃］のような常温よりもレンズチルト感度ＬＴが大きくなることを鑑み、０［℃］でのレンズチルト感度を許容値である１３０［ｍλｒｍｓ／ｄｅｇｒｅｅ］以下に抑えるよう設計した。
【０２５４】
しかしながら０［℃］のような低温でのレンズチルト感度ＬＴについては、これまであまり着目されておらず、この値を１３０［ｍλｒｍｓ／ｄｅｇｒｅｅ］以下に抑えるとしても、その手法が確立されていなかった。
【０２５５】
そこで対物レンズ１８では、３５［℃］における３次軸外コマ収差感度ｘ、５次軸外コマ収差感度ｙ及びレンズ厚感度ｚといった、対物レンズの設計において頻繁に用いられるパラメータに着目した。その上で、（５）式に示したように、これらのパラメータが０［℃］でのレンズチルト感度ＬＴとほぼ線形な関係を有することを明らかにした上で、これらのパラメータの範囲を（９）〜（１１）式のようにそれぞれ適切に規定した。
【０２５６】
また（５）式は近似値であるが、図１３〜図１６及び表７〜１１等に示したように、０［℃］におけるレンズチルト感度ＬＴの値を十分な精度で近似できている。
【０２５７】
これまで３５［℃］における３次軸外コマ収差感度ｘ、５次軸外コマ収差感度ｙ及びレンズ厚感度ｚといったパラメータについては、コマ収差や球面収差を抑える観点から、これまでそれぞれを単独でゼロに近づけることが好ましいと考えられていた。
【０２５８】
しかしながら本発明の対物レンズ１８については、第１〜第５数値実施例に示したように、これらのパラメータを意図的にゼロ以外の値、すなわち（６）式、（７）式又は（８）式を満たすような値とするよう設計することにより、０［℃］におけるレンズチルト感度ＬＴを許容値以下に抑えることが可能となった。
【０２５９】
さらに対物レンズ１８に関し、（１５）式に示したように、レンズ厚感度ｚを３次軸外コマ収差感度ｘ、５次軸外コマ収差感度ｙ及び光源側サグ量ｗを用いた関数Ｇ（ｘ，ｙ，ｗ）により近似した。これを用いて対物レンズ１８の０［℃］におけるレンズチルト感度ＬＴについては、光源側サグ量ｗを用いることにより、（１６）式に示した関数Ｆ（ｘ，ｙ，ｗ）によっても表すようにした。
【０２６０】
これにより対物レンズ１８については、レンズ厚感度ｚに代えて光源側サグ量ｗを用いた場合にも、レンズチルト感度ＬＴを容易に算出することができる。
【０２６１】
さらに光ディスク装置１０は、表２及び表３に設計条件Ｃ２又はＣ３として示したように、対物レンズ１８について関数Ｆ（ｘ，ｙ，ｚ）が許容値１１５又は１００［ｍλｒｍｓ／ｄｅｇｒｅｅ］以下となるよう設計することにより、コマ収差の発生量を小さく抑えつつ、Ｄ−ｓｋｅｗの許容値を０．１５又は０．２０［ｄｅｇｒｅｅ］まで緩和することが可能となる。
【０２６２】
これにより、Ｄ−ｓｋｅｗが０．１０〜０．１５又は０．２０［ｄｅｇｒｅｅ］の範囲にあり設計条件Ｃ１の下では不良品とされる光ピックアップ１７、及びそれを用いた光ディスク装置１０であっても、ＢＤ方式で規定されたスキューマージンを満たす良品とすることができ、いわゆる歩留まりを向上できる。
【０２６３】
また光ディスク装置１０は、対物レンズ１８について３次軸外コマ収差感度ｘ、５次軸外コマ収差感度ｙ及びレンズ厚感度ｚをそれぞれ（９）式、（１０）式及び（１１）式の範囲に収めるよう設計することにより、コマ収差の発生量を問題のない範囲に格段に小さく抑えることができ、製造時の各種測定に大きな影響を与えることもない。
【０２６４】
さらに光ディスク装置１０は、対物レンズ１８について３次軸外コマ収差感度ｘ、５次軸外コマ収差感度ｙ及びレンズ厚感度ｚをそれぞれ（１２）式、（１３）式及び（１４）式の範囲に収めるよう設計することにより、コマ収差等の発生量をより小さく抑えることができる。
【０２６５】
以上の構成によれば、光ディスク装置１０の光ピックアップ１７に搭載される対物レンズ１８については、０［℃］におけるレンズチルト感度ＬＴを３５［℃］における３次軸外コマ収差感度ｘ、５次軸外コマ収差感度ｙ及びレンズ厚感度ｚにより近似した関数Ｆ（ｘ，ｙ，ｚ）が許容値１３０［ｍλｒｍｓ／ｄｅｇｒｅｅ］以下となるよう設計した。これにより対物レンズ１８を搭載した光ディスク装置１０は、０［℃］におけるレンズチルト感度ＬＴを１３０［ｍλｒｍｓ／ｄｅｇｒｅｅ］以下にすることができ、Ｄ−ｓｋｅｗを表２の設計条件Ｃ１に示した許容値０．１０［ｄｅｇｒｅｅ］としたときにもスキューマージンを確保することができる。
【０２６６】
＜５．他の実施の形態＞
なお上述した実施の形態においては、レンズチルト感度ＬＴを１３０、１１５又は１００［ｍλｒｍｓ／ｄｅｇｒｅｅ］以下とする３次軸外コマ収差感度ｘ、５次軸外コマ収差感度ｙ及びレンズ厚感度ｚを選定して対物レンズ１８を設計するようにした場合について述べた。
【０２６７】
本発明はこれに限らず、低温０［℃］におけるレンズチルト感度ＬＴを他の種々の許容値以下とするような３次軸外コマ収差感度ｘ、５次軸外コマ収差感度ｙ及びレンズ厚感度ｚを選定して対物レンズ１８を設計するようにしても良い。この場合、レンズチルト感度ＬＴに応じてＤ−ｓｋｅｗの許容値を適宜緩和することができるので、対物レンズ１８を搭載する光ピックアップ１７、及びさらにそれを搭載する光ディスク装置１０の歩留まりをさらに向上させることができる。
【０２６８】
すなわちレンズチルト感度ＬＴの許容値としては、対物レンズ１８の傾き角度で表されるＤ−ｓｋｅｗの許容値（表２のＤ−ｓｋｅｗの値）を、レンズチルト感度の値を用いて光ディスク１００の傾き角度で表されたＤ−ｓｋｅｗの許容値（表３のＤ−ｓｋｅｗ要因の値）に換算し、それとその他の種々のスキュー発生要因によるスキューの総合値が、スキューマージン０．７５［ｄｅｇｒｅｅ］以下となるように定めれば良い。
【０２６９】
また上述した実施の形態においては、ＢＤ方式の規格に従い、Ｄ−ｓｋｅｗの許容値を０．１０［ｄｅｇｒｅｅ］と定める場合において、各種要因によるスキューの合計値がスキューマージンの許容値である０．７５［ｄｅｇｒｅｅ］以下となるようレンズチルト感度を定める場合について述べた。
【０２７０】
本発明はこれに限らず、Ｄ−ｓｋｅｗの許容値を０．１０［ｄｅｇｒｅｅ］から緩和する場合、各種要因によるスキューの合計値がスキューマージンの許容値である０．７５［ｄｅｇｒｅｅ］以下となるよう、レンズチルト感度を定めなおすようにしても良い。
【０２７１】
さらに上述した実施の形態においては、光ディスク装置１０の動作温度範囲である０〜７０［℃］の範囲におけるレンズチルト感度ＬＴの値が０［℃］のときに最も大きいことから（図３）、０［℃］におけるレンズチルト感度ＬＴの許容値を定めるようにした場合について述べた。
【０２７２】
本発明はこれに限らず、光ディスク装置１０の動作温度範囲におけるレンズチルト感度ＬＴの値が最も大きくなる種々の温度において、当該レンズチルト感度ＬＴの許容値を定めるようにしても良い。
【０２７３】
さらに上述した実施の形態においては、光ディスク装置１０に搭載される対物レンズ１８の動作保証温度範囲として、０〜７０［℃］を想定した場合について説明した。
【０２７４】
本発明はこれに限らず、光ディスク装置１０の使用条件に応じて他の当該動作保証温度範囲を想定しても良い。例えば、光ディスク装置１０が室内での使用に限られるような場合に、対物レンズ１８の動作保証温度範囲として５〜７０［℃］を想定するようにしても良い。この場合、動作保証温度範囲内の最低温度である５［℃］におけるレンズチルト感度ＬＴを１３０［ｍλｒｍｓ／ｄｅｇｒｅｅ］以下とすれば良い。
【０２７５】
さらに上述した実施の形態においては、３５［℃］における３次軸外コマ収差感度ｘ、５次軸外コマ収差感度ｙ及びレンズ厚感度ｚをパラメータとして（５）式の関数Ｆ（ｘ，ｙ，ｚ）線形の関係を求めるようにした場合について述べた。
【０２７６】
しかしながら本発明はこれに限らず、例えば２５［℃］等、任意の温度における３次軸外コマ収差感度、５次軸外コマ収差感度及びレンズ厚感度を用いてＦ（ｘ，ｙ，ｚ）を求めるようにしても良い。この場合にも、（５）式のような線形の関係は成立する。
【０２７７】
さらに上述した実施の形態及び第１〜第５数値実施例においては、波長λが４０５［ｎｍ］の光に対し屈折率ｎを１．５６０とする樹脂材料により対物レンズ１８を構成するようにした場合について述べた。
【０２７８】
本発明はこれに限らず、任意の波長λの光に対し任意の屈折率ｎを呈する任意の構成材料により対物レンズ１８を構成するようにしても良い。この場合、屈折率ｎの値に応じたシミュレーション等により（５）式における係数を適宜変化させれば良い。なお波長λについては、少なくとも４１０［ｎｍ］以下とすることにより、ＢＤ方式の光ディスク１００に対応することが可能となる。また屈折率ｎについては、少なくとも１．５０以上且つ１．６０以下であれば、上述した手法により（５）式の各係数を定め得ると考えられる。
【０２７９】
さらに上述した実施の形態及び第１〜第５数値実施例においては、焦点距離ｆを１．４１２［ｍｍ］とする場合について述べた。
【０２８０】
本発明はこれに限らず、焦点距離ｆを任意の値としても良い。少なくとも焦点距離ｆが３［ｍｍ］以下であれば、上述した手法により（５）式の各係数を定め得ると考えられる。
【０２８１】
さらに上述した第１〜第５数値実施例においては、各対物レンズの構成材料における温度屈折率傾きｄｎ／ｄＴを−１．０９×１０−４とする場合について述べた。
【０２８２】
本発明はこれに限らず、対物レンズの構成材料における温度屈折率傾きｄｎ／ｄＴを−１．３×１０−４以上且つ−１．０×１０−４以下とするようにしても良い。
【０２８３】
さらに上述した実施の形態においては、コリメータレンズ２４を移動させることにより、光ビームＬが光ディスク１００に集光された際に生じる３次の球面収差を補正するようにした場合について述べた。
【０２８４】
本発明はこれに限らず、例えば温度センサを設けた上で光ピックアップ１７内の温度に応じて、或いは反射光ビームＬ２の受光結果に基づき、駆動制御部１３がアクチュエータ２５を制御するようにしても良く、若しくは３次の球面収差が比較的小さいことが判明している場合に、コリメータレンズ２４を固定しておくようにしても良い。
【０２８５】
さらに上述した実施の形態においては、光ディスク１００に情報を記録し、また当該光ディスク１００から情報を再生する光ディスク装置１０に本発明を適用する場合について述べた。本発明はこれに限らず、例えば光ディスク１００から情報を再生する光ディスク再生装置に適用しても良い。
【０２８６】
さらに上述した実施の形態においては、光源としてのレーザダイオード２１と、コリメータレンズとしてのコリメータレンズ２４と、アクチュエータとしてのアクチュエータ１５と、対物レンズとしての対物レンズ１８と、駆動制御部としての駆動制御部１３とによって光ディスク装置としての光ディスク装置１０を構成する場合について述べた。
【０２８７】
しかしながら本発明はこれに限らず、その他種々の構成でなる光源と、コリメータレンズと、アクチュエータと、対物レンズと、駆動制御部とによって光ディスク装置を構成するようにしても良い。
【産業上の利用可能性】
【０２８８】
本発明は、種々の光ディスクに映像や音声或いは種々のデータ等の情報を記録し、また当該光ディスクから当該情報を再生する光ディスク装置でも利用できる。
【符号の説明】
【０２８９】
１０……光ディスク装置、１３……駆動制御部、１７……光ピックアップ、１８、ＳＰ１、ＳＰ２、ＳＥ１〜ＳＥ５、ＳＲ１〜ＳＲ９……対物レンズ、２１……レーザダイオード、２４……コリメータレンズ、２５……アクチュエータ、１００……光ディスク、Ｌ……光ビーム、ＬＴ……レンズチルト感度、ｘ……３次軸外コマ収差感度、ｙ……５次軸外コマ収差感度、ｚ……レンズ厚感度、ｗ……光源側サグ量。
【図１】
2011100527.tif 000040
【図２】
2011100527.tif 000041
【図３】
2011100527.tif 000042
【図４】
2011100527.tif 000043
【図５】
2011100527.tif 000044
【図６】
2011100527.tif 000045
【図７】
2011100527.tif 000046
【図８】
2011100527.tif 000047
【図９】
2011100527.tif 000048
【図１０】
2011100527.tif 000049
【図１１】
2011100527.tif 000050
【図１２】
2011100527.tif 000051
【図１３】
2011100527.tif 000052
【図１４】
2011100527.tif 000053
【図１５】
2011100527.tif 000054
【図１６】
2011100527.tif 000055
【図１７】
2011100527.tif 000056
【図１８】
2011100527.tif 000057
【図１９】
2011100527.tif 000058
【図２０】
2011100527.tif 000059
【図２１】
2011100527.tif 000060
【図２２】
2011100527.tif 000061
【図２３】
2011100527.tif 000062